(57)【要約】【課題】給湯装置においてユーザが必要とする情報を読み取りやすく表示する。【解決手段】貯湯式給湯装置は、その台所用操作盤に各種スイッチとドットマトリクス式表示部４６を備えており、通常は表示部４６に運転モード、現在時刻、給湯設定温度、貯湯量などの情報が表示される。ユーザによりナビスイッチが所定回数操作されると、強調表示モードを設定可能な状態となり、この状態において、３秒以内に温度下げスイッチが押されると、表示部４６全体に使用可能湯量が強調表示される。その後、３秒以内に温度下げスイッチが押されるごとに、過去使用湯量の強調表示、現在時刻の強調表示、給湯設定温度の強調表示、貯湯量の強調表示の順で表示が切り替わる。いずれかの表示状態において、温度下げスイッチが押されないまま３秒を超えると、そのときの表示状態が、その後ユーザにより設定変更されるまで、継続的に維持される。【選択図】        図４
2004294047.tif 000002
【特許請求の範囲】
【請求項１】
ドットマトリクス領域（５７）を少なくとも一部として有し、所定の複数の項目から選択された少なくとも１つの項目からなる情報（４７〜５１）を表示する表示手段（４６）と、
前記ドットマトリクス領域（５７）に表示される項目およびそのレイアウトを特定する表示パターンを、所定の複数の表示パターンからなる表示パターン群からユーザが選択して設定するための表示設定手段（４２、５３、４６０）と、
ユーザが前記表示設定手段（４２、５３、４６０）により設定した前記表示パターンに従って、前記情報（４７〜５１）を前記表示手段（４６）に表示させる表示制御手段（６２０）とを備えたことを特徴とする給湯装置。
【請求項２】
前記表示パターン群には、前記所定の複数の項目から選択された１つの項目のみを前記ドットマトリクス領域の全体に配置する表示パターンが含まれていることを特徴とする請求項１記載の給湯装置。
【請求項３】
前記表示パターン群には、前記所定の複数の項目から選択された少なくとも２つの項目を表示し、前記少なくとも２つの項目のうちの１つの項目を、その他の項目が表示される領域に比較して大きく、前記ドットマトリクス領域の前記全体の半分以上を占める領域に配置する表示パターンが含まれていることを特徴とする請求項１または２記載の給湯装置。
【請求項４】
前記表示手段（４６）は、その表示領域全体として、前記ドットマトリクス領域を有することを特徴とする請求項１ないし３のいずれか１項に記載の給湯装置。
【請求項５】
前記表示設定手段は、前記表示パターン群から選択された１つの表示パターンに従って前記表示手段（４６）により前記情報（４７〜５１）が継続的に表示されている継続表示モードから、ユーザによる前記表示パターン群からの表示パターンの選択が可能な表示設定モードへの移行をユーザが指示するための設定開始手段（４２）と、前記表示設定モードにおいて前記表示手段（４６）により前記所定の複数の表示パターンの各々で切り替えて前記情報（４７〜５１）を表示することをユーザが指示するための切替手段（５３）とを備えており、
前記表示制御手段（６２０）は、ユーザが前記設定開始手段（４２）により前記表示設定モードへの移行を指示すると、前記表示パターン群から選択した第１表示パターンに従って前記情報（４７〜５１）を前記表示手段（４６）に表示させ、前記第１表示パターンに従った表示開始後、所定時間内にユーザが前記切替手段（５３）により切り替えを指示した場合は、前記表示パターン群から選択した第２表示パターンに従って前記情報（４７〜５１）を前記表示手段（４６）に表示させ、その後、前記所定時間内にユーザによって前記切替手段（５３）による切り替えの指示が繰り返された場合は、そのたびに表示パターンを切り替えて前記情報（４７〜５１）を前記表示手段（４６）に表示させることにより、前記所定の複数の表示パターンの各々で切り替えて前記情報（４７〜５１）を前記表示手段（４６）に表示させることを特徴とする請求項１ないし４のいずれか１項に記載の給湯装置。
【請求項６】
前記表示設定手段（４２、５３、４６０）は、前記表示設定モードにおいて、ユーザによって前記切替手段（５３）により表示パターンの切り替えを指示されることなく前記所定時間を超えた場合は、その時点で前記表示手段（４６）による前記情報の表示に用いられている表示パターンを、前記継続表示モードにおいて前記表示手段（４６）による前記情報（４７〜５１）の表示に用いる表示パターンとして設定することを特徴とする請求項５記載の給湯装置。
【請求項７】
前記表示制御手段（６２０）は、前記所定時間内の間は、前記表示手段（４６）により表示されている前記情報（４７〜５１）の少なくとも一部を点滅させることにより、前記切替手段（５３）による表示パターンの切り替えが可能な状態であることをユーザに対して表示することを特徴とする請求項５または６記載の給湯装置。
【請求項８】
前記表示制御手段（６２０）は、前記所定時間内の間は、前記情報（４７〜５１）に加えて、所定のシンボル（５９）を前記表示手段（４６）により点滅させて表示させることにより、前記切替手段（５３）による表示パターンの切り替えが可能な状態であることをユーザに対して表示することを特徴とする請求項５または６記載の給湯装置。
【請求項９】
給湯制御に用いられる所定事項をユーザが設定するための給湯設定手段（４３、４５、５３、５４）を備え、
前記所定の複数の項目には、前記給湯設定手段（４３、４５、５３、５４）により設定された前記所定事項の情報を有する項目が含まれていることを特徴とする請求項１ないし８のいずれか１項に記載の給湯装置。
【請求項１０】
給湯に用いる湯を貯える貯湯タンク（３０）と、
前記貯湯タンク（３０）内の湯を用いた給湯能力に関連する情報を生成する給湯能力情報生成手段（６００、３１０）とを備え、
前記所定の複数の項目には、前記給湯能力に関連する情報を有する項目が含まれていることを特徴とする請求項１ないし９のいずれか１項に記載の給湯装置。
【請求項１１】
ユーザによる湯の使用状況に関連する所定事項のデータを取得して記憶する使用状況取得手段（２３、２６、２００）を備え、
前記所定の複数の項目には、前記使用状況取得手段（２３、２６、２００）により記憶している前記データに基づく情報を有する項目が含まれていることを特徴とする請求項１ないし１０のいずれか１項に記載の給湯装置。
【請求項１２】
所定の作業を実行するために用いられる作業実行手段（１１、１２、１８、２２、３４）と、
所定の目標に達するまで前記所定の作業が実行されるように前記作業実行手段（１１、１２、１８、２２、３４）を制御する作業実行制御手段（３１５、３２０）と、
前記作業実行制御手段（３１５、３２０）の制御により前記所定の作業が実行されているときに、前記所定の目標に達するまでの残り所要時間を算出する残り時間算出手段（６０４、６０６）とを備え、
前記所定の複数の項目には、前記残り所要時間の情報を有する項目が含まれていることを特徴とする請求項１ないし１１のいずれか１項に記載の給湯装置。
【請求項１３】
前記所定の作業の実行開始をユーザが指示するための作業指示手段（４１）を備え、
前記作業実行制御手段（３１５、３２０）は、前記作業指示手段（４１）によるユーザからの指示に応えて、前記所定の作業が開始されるように前記作業実行手段（１１、１２、１８、２２，３４）を制御することを特徴とする請求項１２記載の給湯装置。
【請求項１４】
前記作業実行手段は、所定の浴槽（１）への給湯を前記所定の作業として実行するための風呂給湯手段（１１、１２、１８、２２、３４）を備えており、
前記作業実行制御手段（３２０）は、前記所定の浴槽（１）に所定の温度の浴水が所定の水位まで貯められた状態を前記所定の目標として、前記風呂給湯手段（１１、１２、１８、２２、３４）を制御することを特徴とする請求項１３記載の給湯装置。
【請求項１５】
ユーザに対するアドバイス情報を生成するアドバイス情報生成手段（６０８）を備え、
前記所定の複数の項目には、前記アドバイス情報を有する項目が含まれていることを特徴とする請求項１ないし１４のいずれか１項に記載の給湯装置。
【請求項１６】
前記アドバイス情報生成手段（６０８）は、前記アドバイス情報として、前記給湯設定手段（４３，４５、５３、５４）により設定される前記所定事項に関するアドバイスを生成することを特徴とする請求項１５記載の給湯装置。
【発明の詳細な説明】
【０００１】
【発明の属する技術分野】
本発明は給湯装置に関し、より詳細には給湯装置においてユーザに対して情報を表示する表示装置に関する。
【０００２】
【従来の技術】
貯湯式給湯装置においては、従来より、ユーザにより設定された給湯温度、貯湯タンク内の貯湯量、運転モード、現在時刻などの情報が、浴室内や台所などに設けられたリモコンの表示部に表示されるようになっている（例えば、特許文献１参照。）。
【０００３】
表示部には、図２９に示すように、設定温度表示領域、貯湯量表示領域、運転モード表示領域、時刻表示領域、動作状態表示領域などが設けられており、これらの各表示領域にそれぞれの情報が表示される。
【０００４】
【特許文献１】
特開２０００−２７４８０９号公報
【０００５】
【発明が解決しようとする課題】
しかしながら、上記のような表示部においては、狭い表示部内に多くの情報をそれぞれ表示するための専用の表示領域が設けられているため、それぞれの情報項目は小さく表示され、しかも、各表示領域は表示部の所定の位置に固定であるため、常に所定のレイアウトで情報が表示されており、ユーザが必要とする情報のみを読み取りやすいレイアウトで提供することはできなかった。
【０００６】
本発明は、上記点に鑑みなされたものであり、給湯装置においてユーザが必要とする情報を読み取りやすく表示することを目的としている。
【０００７】
【課題を解決するための手段】
上記課題を解決するため、請求項１記載の給湯装置は、ドットマトリクス領域を少なくとも一部として有し、所定の複数の項目から選択された少なくとも１つの項目からなる情報を表示する表示手段と、ドットマトリクス領域に表示される項目およびそのレイアウトを特定する表示パターンを、所定の複数の表示パターンからなる表示パターン群からユーザが選択して設定するための表示設定手段と、ユーザが表示設定手段により設定した表示パターンに従って情報を表示手段に表示させる表示制御手段とを備えたことを特徴としている。
【０００８】
このように、ユーザが表示パターン群から表示パターンを１つ選択して、これに従って表示手段に情報を表示させることができるように構成されていると、ユーザの要求により適合した表示パターンで情報を提供することができる。
【０００９】
また、表示パターン群には、請求項２記載のように、表示手段により表示可能な所定の複数の項目のうち、１つの項目のみをドットマトリクス領域全体に配置する表示パターンが含まれているとよい。このように、ユーザの選択により、１つの項目のみをドットマトリクス領域全体に表示することが可能であると、ユーザが高齢者や弱視者であるような場合でも、ユーザが必要とする情報を読み取りやすく表示することができる。
【００１０】
また、表示パターン群には、請求項３記載のように、表示手段により表示可能な所定の複数の項目から選択された少なくとも２つの項目を表示し、そのうちの１つの項目を、その他の項目が表示される領域に比較して大きく、ドットマトリクス領域の全体の半分以上を占める領域に配置する表示パターンが含まれているとよい。このように構成されていると、ユーザの選択により、ユーザが最も必要とする１つの項目を比較的大きく読み取りやすく表示するのと同時に、その他の項目も表示することが可能であるため、これらその他の項目の情報を、ユーザは切り替えにより表示させることなく得ることできる。
【００１１】
また、表示手段は、請求項４記載のように、その表示領域全体としてドットマトリクス領域を有しているとよい。このように表示手段の表示領域全体がドットマトリクス領域により構成されていると、拡大表示される項目をより大きく読み取りやすく表示することができ、特に１つの項目のみをドットマトリクス領域全体に表示する場合には、ユーザが高齢者や弱視者である場合でも読み取りやすく表示することが可能である。
【００１２】
表示設定手段は、請求項５記載のように、表示パターン群から選択された１つの表示パターンに従って表示手段により情報が継続的に表示されている継続表示モードから、ユーザによる表示パターン群からの表示パターンの選択が可能な表示設定モードへの移行をユーザが指示するための設定開始手段と、表示設定モードにおいて表示手段により所定の複数の表示パターンの各々で切り替えて情報を表示することをユーザが指示するための切替手段とを備えているとよく、この場合、表示制御手段は、ユーザが設定開始手段により表示設定モードへの移行を指示すると、表示パターン群から選択した第１表示パターンに従って情報を表示手段に表示させ、第１表示パターンに従った表示開始後、所定時間内にユーザが切替手段により切り替えを指示した場合は、表示パターン群から選択した第２表示パターンに従って情報を表示手段に表示させ、その後、所定時間内にユーザによって切替手段による切り替えの指示が繰り返された場合は、そのたびに表示パターンを切り替えて情報を表示手段に表示させることにより、所定の複数の表示パターンの各々で切り替えて情報を表示手段に表示させるように構成されているとよい。
【００１３】
このような構成によると、ユーザが表示パターン群から表示パターンを選択して設定を行いたい場合には、設定開始手段により、表示パターンの選択が可能な表示設定モードへ移行させ、この表示設定モードにおいて、切替手段により、表示パターン群の各表示パターンで切り替えて情報を表示させて、その中から１つの表示パターンを選択することができる。
【００１４】
請求項５記載の給湯装置において、表示設定手段は、請求項６記載のように、表示設定モードにおいて、ユーザによって切替手段により表示パターンの切り替えを指示されることなく所定時間を超えた場合は、その時点で表示手段による情報の表示に用いられている表示パターンを、継続表示モードにおいて表示手段による情報の表示に用いる表示パターンとして設定するようにするとよい。このように構成されていると、ユーザは切替手段により表示パターン群の各表示パターンで情報を表示させて、選択したい表示パターンにより情報が表示されているときに、そのまま切替手段により表示パターンを切り替えることなく所定時間放置することにより、簡単に表示パターンを選択して設定することができる。
【００１５】
請求項５または６記載の給湯装置において、表示制御手段は、請求項７記載のように、表示設定モードにおいて、ユーザによる表示パターンの切り替えが可能な所定時間の間は、表示手段により表示されている情報の少なくとも一部を点滅させることにより、切替手段による表示パターンの切り替えが可能な状態であることをユーザに対して表示するように構成されているとよい。このように、ユーザによる表示パターンの切り替えが可能であることが点滅により表示されると、ユーザは現在表示設定モードであるのか継続表示モードであるのかを識別することができる。
【００１６】
あるいは、表示制御手段は、請求項８記載のように、表示設定モードにおいて、ユーザによる表示パターンの切り替えが可能な所定時間の間は、情報に加えて、所定のシンボルを表示手段により点滅させて表示させることにより、切替手段による表示パターンの切り替えが可能な状態であることをユーザに対して表示するように構成されていてもよい。このように、ユーザによる表示パターンの切り替えが可能であることがシンボルの点滅により表示されると、ユーザは現在表示設定モードであるのか継続表示モードであるのかを識別することができる。
【００１７】
表示手段により表示可能な所定の複数の項目には、請求項９記載のように、ユーザにより設定されて給湯制御に用いられる所定事項の情報を有する項目が含まれているとよい。このように、ユーザにより設定された例えば給湯設定温度などの情報を表示可能に構成されていると、ユーザは自ら行った設定の内容を表示させて確認することができる。
【００１８】
また、給湯装置が、請求項１０記載のように、給湯に用いる湯を貯えるための貯湯タンクを備えている場合には、表示手段により表示可能な所定の複数の項目には、貯湯タンク内の湯を用いた給湯能力に関連する情報を有する項目が含まれているとよい。このように、貯湯タンク内の湯を用いた給湯能力に関連する情報を表示することが可能であると、この情報により、ユーザは貯湯タンク内の湯の沸き増しが必要であるか否かを判断することができ、貯湯タンク内の湯量不足により給湯が不可能になるような状況を回避することができる。
【００１９】
さらに、表示手段により表示可能な項目として、請求項１１記載のように、ユーザによる湯の使用状況に関連して記憶されているデータに基づいて生成された情報を有する項目が含まれていると、これにより、ユーザは自分の過去の湯の使用状況に関する情報を得ることができる。
【００２０】
また、請求項１２記載のように、給湯装置により所定の作業が所定の目標に達するまで実行されている最中には、所定の目標に達するまでの残り所要時間を表示手段により表示可能に構成されているとよい。特にこの場合表示されるのは、請求項１３記載のように、ユーザからの指示により開始される作業が完了するまでの残り所要時間であるとよく、このような作業としては、請求項１４記載のように、浴槽への湯張りが考えられる。このような構成によると、ユーザは自らの指示により開始させた作業がいつ完了するのかを知ることができ、特に湯張りを指示した場合には、何分後に入浴が可能となるのかを知ることができる。
【００２１】
さらに、表示手段により表示可能な項目として、請求項１５記載のように、ユーザに対するアドバイス情報を有する項目が含まれているとよく、特にこのアドバイス情報は、請求項１６記載のように、ユーザにより設定されて給湯制御に用いられる所定事項に関するアドバイスであるとよい。このようにして、例えば運転モードの設定などに関するアドバイス情報が表示可能に構成されていると、ユーザは運転モードの設定を行う場合に、このようなアドバイス情報を表示させて、これを参考にして設定を行うことができる。
【００２２】
【発明の実施の形態】
（第１実施形態）
図１は本発明の第１実施形態に係る給湯装置の概略構成を示している。給湯装置は、浴室内に配設される浴槽１と、浴室近傍の屋外適所に配設される本体ユニット１００を備えている。本体ユニット１００はその内部に縦長形状の貯湯タンク３０を有しており、この貯湯タンク３０の底面には水道水を供給するための導入管３１が接続している。貯湯タンク３０内には導入管３１から水道水が供給される。この水は貯湯タンク３０外部に配設されたヒートポンプユニット（図示せず）に循環させることにより所定の高温にまで沸き上げられて、給湯用水として貯えられる。
【００２３】
貯湯タンク３０は耐食性に優れた金属（例えばステンレス）でできていて、外周部に断熱材（図示せず）が配設されており、これにより高温の給湯用水を長時間に渡って保温することができるようになっている。貯湯タンク３０の外壁面には、複数の湯温センサ（図示せず）が縦方向に並べて配置されており、温度情報を後述する制御装置２００に出力するようになっている。
【００２４】
導入管３１には、導入される水道水の水圧が所定圧になるように調節する減圧弁３５が設けられており、本実施形態では減圧弁３５として水圧を１５０ｋＰａに調節するものを採用している。導入管３１からは、減圧弁３５より下流側において、水道水導入管３３が分岐している。
【００２５】
貯湯タンク３０の最上部には、貯湯タンク３０から高温の湯を導出するための導出管３２が接続されている。導出管３２には水道水導入管３３が合流しており、その合流点には温調弁３４が配設されている。この温調弁３４の開口面積比を調節することにより、高温の湯と水道水との混合比率を調節できるようになっている。
【００２６】
また、貯湯タンク３０の導出管３２からは給湯管６２が分岐しており、この給湯管６２は、その下流端において、水道水導入管３３から分岐している給水管６３と合流している。合流点には温調弁６４が配設されており、温調弁６４は開口面積比を調節することにより、高温の湯と水道水との混合比率を調節できるようになっている。温調弁６４の出口側には、カランやシャワーなど（図示せず）へ湯水を導くための給湯配管６０が接続されている。この給湯配管６０上には、水温センサ２５および流量カウンタ２６が設けられており、これらは配管６０内を通る湯水の温度情報および流量情報を後述する制御装置２００に出力するようになっている。
【００２７】
一方、浴槽１の内壁面下端部近傍には、浴槽１内の浴水を本体ユニット１００側へ吸い込むための吸込口２と、本体ユニット１００からの湯水を浴槽１内に吐出するための吐出口３が設けられている。本体ユニット１００は、浴槽１の吸込口２と吐出口３の間を結ぶ循環回路１０を有しており、これにより浴槽１内の浴水を本体ユニット１００内に循環させることができる。
【００２８】
循環回路１０は、後述する配管２０との接続点２１より下流側にある往き管１０ａと、接続点２１より上流側にある戻り管１０ｂとで構成されている。戻り管１０ｂには、循環回路１０内に浴槽１内の浴水を循環させるための循環ポンプ１１が配設されている。本実施形態では、循環ポンプ１１として、ハウジング内のインペラを回転させることにより浴水を圧送するタイプの電動ポンプを採用している。
【００２９】
戻り管１０ｂの循環ポンプ１１より上流側には、戻り管１０ｂの経路を連通または遮断する電動弁１２が設けられている。電動弁１２はサーボモータなどにより経路を緩やかに開閉する電動弁であり、ソレノイドなどにより経路を瞬時に開閉する電磁弁よりも浴槽１が配置された浴室内へ伝わる作動音を低減することができる。戻り管１０ｂの電動弁１２が設けられた位置より上流側には、水位センサ１３が配設されており、戻り管１０ｂ内の圧力情報を浴槽１内の水位情報として後述する制御装置２００に出力するようになっている。
【００３０】
往き管１０ａは、その一部として、貯湯タンク３０内に配設された加熱部１０ｃを有しており、この加熱部１０ｃは螺旋形状の蛇管により構成されている。往き管１０ａの加熱部１０ｃより上流側にはフロースイッチ１５が設けられており、これは、往き管１０ａ内の浴水の流れの有無を後述する制御装置２００に出力するようになっている。往き管１０ａのフロースイッチ１５より下流側には、加熱部１０ｃをバイパスするようにバイパス配管１７が設けられている。往き管１０ａとバイパス配管１７の上流側接続点には三方弁１８が設けられており、これを開いた状態では流路が加熱部１０ｃ側に切り替えられ、閉じた状態ではバイパス配管１７側に切り替えられる。また、三方弁１８の開度を調節することにより、上流側からの浴水あるいは湯水が加熱部１０ｃ側とバイパス配管１７側に適当な割合で分かれて流れるように制御することもできる。
【００３１】
水道水導入管３３と導出管３２の合流点に設けられた温調弁３４の出口側は、給湯通路である配管２０により、循環回路１０と接続されている。配管２０には、この経路を連通または遮断する電磁弁２２が設けられている。配管２０の電磁弁２２と温調弁３４との間には、流量カウンタ２３が配設されており、配管２０を流れる湯水の流量情報を後述する制御装置２００に出力するようになっている。また、循環回路１０と配管２０との間の接続点２１と電磁弁２２との間には、逆止弁２４が配設されており、配管２０内の湯水の圧力が循環回路１０内を循環する浴水の圧力より低い場合に、浴水が配管２０を逆流しないようになっている。
【００３２】
循環回路１０と配管２０との接続点２１には水温センサ１６が配設されており、これは、接続点２１の温度情報、すなわち、循環回路１０内の浴水もしくは配管２０から往き管１０ａに流入する湯水の温度情報を後述する制御装置２００に出力するようになっている。
【００３３】
本体ユニット１００はさらに制御装置２００を備えており、これは、浴室内に取り付けられている浴室用操作盤（図示せず）、および台所などに取り付けられている台所用操作盤４０のスイッチ類からスイッチ信号を受け取る。浴室用操作盤は、ユーザが浴槽１への給湯温度を設定する風呂温度設定スイッチ、カランやシャワーからの給湯温度を設定する給湯温度設定スイッチ、浴槽１への自動湯張りおよび保温を指示する自動スイッチ、浴水の追焚きを指示する追焚きスイッチ、浴槽１への足し湯を指示する足し湯スイッチ、浴槽１への差し水を指示する差し水スイッチ、循環回路１０の洗浄を指示するクリーニングスイッチ、浴水の水位を設定する湯量設定スイッチ、浴槽１への湯張り後の保温時間を設定する保温時間設定スイッチ、表示部（いずれも図示せず）などを備えている。表示部には、時刻、風呂設定温度や設定水位、実際の水位などの情報が表示される。
【００３４】
台所用操作盤４０は、図２に示すように、ユーザが浴槽１への自動湯張りおよび保温を指示するときに用いる自動スイッチ４１、表示モードの変更などを指示するときに用いるナビスイッチ４２、運転モードの切り替えを指示するときに用いる運転モード切替スイッチ４３、貯湯タンク３０内の湯水の強制沸き増しを指示するときに用いる強制沸増スイッチ４４、時刻を設定するときに用いる時刻設定スイッチ４５、ユーザがカランやシャワーからの給湯温度を現在の設定温度より下げるように指示するときに用いる温度下げスイッチ５３、現在の設定温度より上げるように指示するときに用いる温度上げスイッチ５４、ユーザに対して各種情報を表示する表示部４６などを備えている。
【００３５】
表示部４６は、その表示領域全体がドットマトリクス領域により構成されており、貯湯タンク３０内の貯湯量に関する情報４７、時刻４８、給湯設定温度４９、運転モード５０、沸き増し中であることを示す情報５１などが表示される。
【００３６】
ユーザは、時刻設定スイッチ４５により、制御装置２００内に保持されている時計に現在時刻を設定することができる。具体的には、時刻設定スイッチ４５を押すと、時刻設定可能な状態となり、この状態において、繰り返し所定時間（例えば３秒）以内に温度下げスイッチ５３あるいは温度上げスイッチ５４を押すことにより、時刻を変更することができる。３秒を超えて温度下げスイッチ５３あるいは温度上げスイッチ５４のいずれも押されないと、その時点で設定されている時刻が現在時刻に確定する。あるいは、時刻設定可能な状態において、時刻設定スイッチ４５が再度押された場合にも、その時点で設定されている時刻が現在時刻に確定する。
【００３７】
また、ユーザは、運転モード切替スイッチ４３により、この貯湯式給湯装置の運転モードを、「満タン」、「おまかせ」、「深夜のみ」の３つのモードのいずれかに設定することができる。具体的には、運転モード切替スイッチ４３を１回押すと、運転モードが切り替え可能な状態になり、その後、所定時間（例えば３秒）以内に運転モード切替スイッチ４３を押すごとに、現在設定されている運転モードから所定の順序（例えば「満タン」モード→「おまかせ」モード→「深夜のみ」モード）で循環して運転モードが切り替わる。３秒を超えて運転モード切替スイッチ４３が押されないと、その時点で選択されている運転モードに確定する。
【００３８】
「満タン」モードに設定されているときには、常に貯湯タンク３０内の湯を自動的に満杯にしておくように制御され、「おまかせ」モードに設定されているときには、ユーザの使用状態などに応じて、貯湯タンク３０内に適当な貯湯量を維持するように制御される。また、「深夜のみ」モードに設定されているときには、深夜時間帯のみ貯湯タンク３０内の湯水の沸き上げを自動的に行い、それ以外の時間帯には自動沸き増しは行わない。
【００３９】
さらに、ユーザは、温度下げスイッチ５３および温度上げスイッチ５４を用いて、シャワーあるいはカランから供給される湯の温度を設定することができる。具体的には、温度下げスイッチ５３あるいは温度上げスイッチ５４が１回押されると、給湯温度が設定可能な状態となり、その後、繰り返し所定時間（例えば３秒）以内に温度下げスイッチ５３あるいは温度上げスイッチ５４が押されると、給湯温度の設定が変更される。３秒を超えて、温度下げスイッチ５３あるいは温度上げスイッチ５４のいずれも押されないと、その時点で設定されている給湯温度に確定する。
【００４０】
また、ユーザは、台所用操作盤４０の貯湯量表示４７に基づいて、貯湯が不足していると思われるときには、強制沸き増しスイッチ４４により、強制的にヒートポンプユニットによる沸き増しを実行させることができる。
【００４１】
また、ユーザは、ナビスイッチ４２を操作することにより、表示部４６の表示モードを、情報が継続的に表示されている「継続表示モード」から、情報が一時的に表示される「一時表示モード」に切り替えたり、あるいは、継続表示モードにおける表示形式を、表示領域全体に１つの情報項目のみが拡大表示される強調表示形式に設定したりすることができる。一時表示モードでは、通常形式による表示では表示されていない情報が表示部４６に一時的に表示される。また、ユーザにより強調表示形式（強調表示モード）の設定が行われると、継続表示モードにおいて、表示可能な情報項目の中からユーザにより選択された１つの項目のみが表示部４６全体に拡大表示（強調表示）され、この表示は、ユーザにより通常形式での表示に切り替えられるか、あるいは他の項目を拡大表示する強調表示形式での表示に切り替えられるまで、継続される。
【００４２】
具体的には、例えば図３（Ａ）に示すように通常表示形式で情報が継続的に表示されている状態（継続表示モード）において、ユーザによりナビスイッチ４２が１回押されると、図３（Ｂ）に示すように、表示部４６全体に使用可能湯量が一時的に表示される。その後、所定時間（例えば３秒）以内にナビスイッチ４２がもう１回押されると、図３（Ｃ）に示すように、表示部４６全体に過去使用湯量が一時的に表示される。具体的には、過去１週間（７日間）の使用湯量がグラフで示される。その後、３秒以内にナビスイッチ４２がもう１回押されると、図３（Ｄ）に示すように、表示部４６全体に「強調表示モード」と表示されて、強調表示モード設定可能な状態（表示設定モード）に移行する。図３（Ｂ）および（Ｃ）に示す状態において、３秒以内にナビスイッチ４２が押されなかった場合は、図３（Ａ）に示す継続表示状態に戻る。
【００４３】
図３（Ｄ）に示すように「強調表示モード」と表示されている状態において、所定時間（例えば３秒）以内にナビスイッチ４２が押された場合も、継続表示状態に戻る。「強調表示モード」と表示されている状態において、３秒以内に温度下げスイッチ５３が押された場合は、強調表示モード設定のための表示に移行し、まず、図４（Ａ）に示すように、使用可能湯量が表示部４６全体に表示される。この表示状態で３秒以内に温度下げスイッチ５３が押されると、図４（Ｂ）に示すように、過去使用湯量が表示部４６全体に表示される。以後、３秒以内に温度下げスイッチ５３が押されるたびに、表示は図４（Ｃ）〜（Ｅ）に示すように時刻、給湯設定温度、貯湯量の強調表示にそれぞれ切り替わり、その後繰り返し３秒以内に温度下げスイッチ５３が押されると、図４（Ａ）〜（Ｅ）に示すように、表示が循環して切り替わる。
【００４４】
図４（Ａ）〜（Ｅ）に示すそれぞれの表示状態において、３秒以内に温度下げスイッチ５３が押されなかった場合は、その表示状態での強調表示モードが確定される。確定した強調表示形式（強調表示モード）での表示は、その後、継続表示モードへの切り替えが行われるか、あるいは他の項目を表示する強調表示モードへの切り替えが行われるまで、継続される。このようにして、使用可能湯量、過去使用湯量、時刻、給湯設定温度、貯湯量のいずれかの項目を継続的に拡張表示させることができる。
【００４５】
強調表示形式から通常表示形式への切り替えを行う場合は、強調表示形式による表示状態でナビスイッチ４２を押すと、まず図３（Ｂ）に示す表示に切り替わり、この状態で３秒以内にナビスイッチ４２を続けて２回押すと、図３（Ｄ）に示す「強調表示モード」の表示となる。この状態で３秒以内にナビスイッチ４２を押すと、図３（Ａ）に示すような通常表示形式での表示に切り替わる。
【００４６】
ある項目が表示されている強調表示形式（例えば、図４（Ａ）に示すような使用可能湯量の強調表示状態）から、他の項目が表示されている強調表示形式に切り替える場合は、上記通常表示形式への切り替えの場合と同様にして図３（Ｄ）に示す表示状態に切り替え、この状態から３秒以内に温度下げスイッチ５３を繰り返し押すことにより図４（Ａ）〜（Ｅ）に示すように表示状態を切り替えて、表示させたい項目が表示された状態で温度下げスイッチ５３を押すことなく３秒が経過するのを待つと、３秒を超えたところで、その強調表示状態が確定される。
【００４７】
図３（Ｂ）および（Ｃ）のいずれかの表示状態において、３秒以内にナビスイッチ４２が押されなかった場合は、３秒を超えたところで、最初にナビスイッチ４２が押される前の表示状態に戻る。従って、ナビスイッチ４２が押される前に図３（Ａ）に示す通常表示形式での表示状態であった場合は、通常表示形式に戻り、例えば使用可能湯量の強調表示状態であった場合は、使用可能湯量の強調表示状態に戻る。
【００４８】
また、図３（Ｄ）に示す「強調表示モード」の表示状態において、３秒以内にナビスイッチ４２および温度下げスイッチ５３のいずれも押されなかった場合にも、最初にナビスイッチ４２が押される前の表示状態に戻る。
【００４９】
本実施形態においては、図３（Ｂ）に示す「使用可能湯量」一時表示と図４（Ａ）に示す「使用可能湯量」強調表示は全く同じ表示形式であり、また図３（Ｃ）に示す「過去使用湯量」一時表示と図４（Ｂ）に示す「過去使用湯量」強調表示は全く同じ表示形式であるが、これらが異なっていてもよい。
【００５０】
さらに本実施形態の給湯装置は、浴室用操作盤あるいは台所用操作盤４０の所定の複数のスイッチを同時に操作することにより、循環回路１０内の水を排出させるための排水運転を指示することができ、このような排水運転は、例えば給湯装置の出荷検査時に、検査員の指示によって実施される。また、浴室用操作盤あるいは台所用操作盤４０の所定の複数のスイッチを同時に操作することにより、貯湯タンク３０とヒートポンプユニットの間の配管内の空気を抜くためのエア抜き運転を指示することができ、このようなエア抜き運転は、例えば設置工事時に施工作業員の指示によって実施される。
【００５１】
つぎに、制御装置２００によって実行される制御処理について説明する。制御装置２００は、この貯湯式給湯装置に電源が投入されると作動を開始し、水位センサ１３からの圧力情報、フロースイッチ１５からの浴水の流れの有無に関する情報、水温センサ１６からの温度情報、流量カウンタ２３、２６からの流量情報、湯温センサ（図示せず）からの温度情報、浴室用操作盤および台所用操作盤４０のスイッチ類４１〜４５からのスイッチ信号などに基づいて、これにより、循環ポンプ１１、電動弁１２、電磁弁２２、温調弁３４、６４、ヒートポンプユニット、浴室用操作盤および台所用操作盤４０の表示部４６などを制御する。
【００５２】
図５は、制御装置２００によって実行される制御処理の手順を示している。まず、ステップ３００で、諸設定の初期化を行う。このとき、後のステップにおいて用いる時刻設定中フラグＣＦ、運転モード切替中フラグＭＦ、沸き増し中フラグＨＦ、給湯温度設定中フラグＴＦ、一時表示フラグＴＭＰ、表示フラグＤＰＦをそれぞれ０に初期化し、また、運転モードＭＯＤＥ、現在時刻ＳＣＬＯＣＫ、給湯設定温度ＴＳＥＴに初期値を設定する。さらに使用湯量ＣＰＶおよび過去使用湯量ＰＶ１〜ＰＶ７を０に初期化する。
【００５３】
ステップ３１０では、湯温センサ（図示せず）からのセンサ信号に基づいて貯湯タンク３０内の貯湯量ＴＶを算出し、強制沸き増しスイッチ４４からのスイッチ信号、時刻ＳＣＬＯＣＫ、算出した貯湯量ＴＶなどに基づいて、貯湯タンク３０内の湯水の沸き上げあるいは沸き増しが必要であるか否か判定し、必要と判定した場合は、ヒートポンプユニットを制御することにより、沸き上げあるいは沸き増しを実行する。また、自動的に沸き増しあるいは沸き上げを開始した場合は、沸き増し中フラグＨＦに１を設定し、強制沸き増しスイッチ４４がユーザにより操作されたことにより沸き増しを開始した場合は、沸き増し中フラグＨＦに２を設定し、沸き上げあるいは沸き増しを終了した場合は、沸き増し中フラグＨＦに０を設定する。
【００５４】
ステップ３１５では、台所用操作盤４０のスイッチ類や浴室用操作盤のクリーニングスイッチなどからのスイッチ信号に基づいて、循環ポンプ１１、電動弁１２、電磁弁２２、温調弁３４、ヒートポンプユニットなどを制御することにより、循環回路１０の洗浄や、エア抜き運転、排水運転を実行する。
【００５５】
ステップ３２０では、浴室用操作盤のスイッチ類および台所用操作盤４０の自動スイッチ４１からのスイッチ信号、およびセンサ類１３、１５、１６、２３からのセンサ信号に基づいて、循環ポンプ１１、電動弁１２、三方弁１８、電磁弁２２、温調弁３４などを制御することにより、貯湯タンク３０内の湯を用いた浴槽１への湯張りおよび足し湯、浴槽１内の浴水を循環回路１０に循環させることによる保温加熱および追焚き、水道水を浴槽１へ供給することによる差し水などを実行し、さらに、流量カウンタ２３からの流量情報に基づいてユーザにより使用された湯量を使用湯量ＣＰＶとして積算する。
【００５６】
ステップ３３０では、流量カウンタ２６からの流量情報によりカランあるいはシャワーからの給湯が検出されたら、給湯設定温度ＴＳＥＴおよび水温センサ２５から温度情報に基づいて、温調弁６４を制御することによりカランあるいはシャワーからの設定温度ＴＳＥＴでの給湯を実行し、さらに、流量カウンタ２６からの流量情報に基づいてユーザにより使用された湯量を使用湯量ＣＰＶとして積算する。使用湯量ＣＰＶは、一日ごとの積算結果が過去使用湯量として記憶され、制御装置２００内には、過去一週間（７日間）の過去使用湯量ＰＶ１〜ＰＶ７が記憶されている。
【００５７】
ステップ３３５では、詳細は後述するが、ユーザにより設定を変更する際に使用されるナビスイッチ４２、運転モード切替スイッチ４３、時刻設定スイッチ４５、温度上げスイッチ５３、温度下げスイッチ５４などの各種設定スイッチからのスイッチ信号に基づいて、設定変更処理を実行し、これにより制御装置２００内部に保持している各種設定を変更する。
【００５８】
ステップ３４０では、詳細は後述するが、浴室用操作盤および台所用操作盤４０の表示部４６を制御して、各種情報を表示させる。ステップ３４０の実行終了後は、ステップ３１０に戻り、所定の周期でステップ３１０〜３４０の実行を繰り返す。
【００５９】
図６は、図５に示すステップ３３５において実行される設定変更処理の手順を示している。まず、ステップ４００で、詳細は後述するが、時刻設定スイッチ４５などからのスイッチ信号に基づいて、制御装置２００内部に保持している時計の示す現在時刻ＳＣＬＯＣＫを変更する。ステップ４１０では、詳細は後述するが、運転モード切替スイッチ４３からのスイッチ信号に基づいて、運転モードＭＯＤＥの設定を変更する。
【００６０】
ステップ４２０では、浴室用操作盤の風呂温度設定スイッチからのスイッチ信号に基づいて、風呂給湯温度の設定を変更し、ステップ４３０では、湯量設定スイッチからのスイッチ信号に基づいて、水位の設定を変更し、ステップ４４０では、保温時間設定スイッチからのスイッチ信号に基づいて、保温時間の設定を変更する。
【００６１】
ステップ４５０では、詳細は後述するが、温度下げスイッチ５３および温度上げスイッチ５４からのスイッチ信号に基づいて、カランあるいはシャワーからの給湯温度ＴＳＥＴの設定を変更する。ステップ４６０では、詳細は後述するが、ナビスイッチ４２などからのスイッチ信号に基づいて、台所用操作盤４０の表示部４６に表示される情報の項目およびレイアウトを特定する表示モードの設定を変更する。
【００６２】
図７は、ステップ４００において実行される時刻設定変更処理の手順を示している。まず、ステップ８００において、時刻設定可能な状態であるか否かを示す時刻設定中フラグＣＦが１であり、かつタイマＥＴＳの示す経過時間が３秒を超えているか否か判定する。時刻設定中フラグＣＦは図５に示すステップ３００において０に初期設定され、その後、ユーザによって時刻設定スイッチ４５が押されることにより、時刻設定可能な状態に移行すると１に設定され、時刻設定可能な状態が終了すると０に設定される。また、タイマＥＴＳは、時刻設定可能な状態に移行してからの経過時間、あるいは、その後ユーザにより時刻設定のために温度下げスイッチ５３あるいは温度上げスイッチ５４が押されてからの経過時間を示している。
【００６３】
ステップ８００においてＹＥＳと判定した場合は、つまり、時刻設定可能な状態において時刻設定スイッチ４５、温度下げスイッチ５３、温度上げスイッチ５４のいずれも押されない状態が３秒を超えて継続した場合は、時刻設定可能な状態が終了したとして、ステップ８３０において時刻設定中フラグＣＦに０を設定し、時刻設定変更処理の実行を終了して設定変更処理ルーチンに戻る。
【００６４】
一方、ステップ８００においてＮＯと判定した場合は、ステップ８０５において、時刻設定スイッチ４５が押されたか否か判定する。ステップ８０５においてＹＥＳと判定した場合は、ステップ８１０において、時刻設定中フラグＣＦが１であるか否か判定する。ステップ８１０においてＹＥＳと判定した場合は、つまり、時刻設定可能な状態において時刻設定スイッチ４５が押された場合は、ユーザが時刻設定可能な状態を終了させるように指示したと判断して、ステップ８３０において時刻設定中フラグＣＦに０を設定し、時刻設定変更処理の実行を終了して、設定変更処理ルーチンに戻る。
【００６５】
ステップ８１０においてＮＯと判定した場合は、つまり時刻設定中フラグＣＦが０である場合は、ステップ８１５において、３つの条件「運転モード切替中フラグＭＦが１である」、「給湯温度設定中フラグＴＦが１である」、「一時表示フラグＴＭＰが０より大きい」のいずれかが満足されているか否か判定する。
【００６６】
運転モード切替中フラグＭＦは、図５に示すステップ３００において０に初期設定され、その後、ユーザによって運転モード切替スイッチ４３が押されることにより、運転モード切替可能な状態に移行すると１に設定され、運転モード切替可能な状態が終了すると０に設定される。給湯温度設定中フラグＴＦは、図５に示すステップ３００において０に初期設定され、その後、ユーザによって温度下げスイッチ５３あるいは温度上げスイッチ５４が押されることにより、給湯温度設定可能な状態に移行すると１に設定され、給湯温度設定可能な状態が終了すると０に設定される。
【００６７】
一時表示フラグＴＭＰは、台所用操作盤４０の表示部４６における表示モードが継続表示モードであるか一時表示モードであるかを示している。継続表示モードの場合は、一時表示フラグＴＭＰは０に設定されており、一時表示モードの場合は、表示されている情報に応じて、一時表示フラグＴＭＰは１〜４のいずれかの値に設定されている。
【００６８】
ステップ８１５においてＹＥＳと判定した場合は、つまり、運転モード切替中であるか、給湯温度設定中であるか、あるいは一時表示中である場合は、表示部４６を時刻設定用の表示に切り替えることが不可能であるため、時刻設定可能状態に移行させることなく（時刻設定中フラグＣＦが０のまま）、時刻設定変更処理の実行を終了して、設定変更処理ルーチンに戻る。
【００６９】
ステップ８１５においてＮＯと判定した場合は、ステップ８２０において時刻設定中フラグＣＦを１に設定することにより、時刻設定可能状態に移行させ、さらにステップ８２５においてタイマＥＴＳをスタートさせる。その後、時刻設定変更処理の実行を終了して、設定変更処理ルーチンに戻る。
【００７０】
一方、ステップ８０５においてＮＯと判定した場合は、ステップ８３５において、温度下げスイッチ５３あるいは温度上げスイッチ５４のいずれかが押されたか否か判定する。ＹＥＳと判定した場合は、ステップ８４０においてタイマＥＴＳをリセットし、ステップ８４５において、温度下げスイッチ５３および温度上げスイッチ５４のどちらが押されたかに基づいて、現在時刻ＳＣＬＯＣＫの設定を変更する。その後、時刻設定変更処理の実行を終了して、設定変更処理ルーチンに戻る。
【００７１】
ステップ８３５において、ＮＯと判定した場合は、時刻設定中フラグＣＦおよび現在時刻ＳＣＬＯＣＫのいずれも変更することなく、時刻設定変更処理の実行を終了して、設定変更処理ルーチンに戻る。
【００７２】
図８は、図６に示すステップ４１０において実行される運転モード変更処理の手順を示している。まず、ステップ８５０において、運転モード切替中フラグＭＦが１であり、かつタイマＥＴＳの示す経過時間が３秒を超えているか否か判定する。タイマＥＴＳは、運転モード切替可能な状態に移行してからの経過時間、あるいは、その後ユーザにより運転モード切り替えのために運転モード切替スイッチ４３が押されてからの経過時間を示している。
【００７３】
ステップ８５０において、ＹＥＳと判定した場合は、つまり、運転モード切替可能な状態において運転モード切替スイッチ４３が押されない状態が３秒を超えて継続した場合は、運転モード切替可能な状態が終了したとして、ステップ８８０において運転モード切替中フラグＭＦに０を設定し、運転モード変更処理の実行を終了して、設定変更処理ルーチンに戻る。
【００７４】
一方、ステップ８５０においてＮＯと判定した場合は、ステップ８５５において、運転モード切替スイッチ４３が押されたか否か判定する。ステップ８５５においてＹＥＳと判定した場合は、ステップ８６０において、運転モード切替中フラグＭＦが１であるか否か判定する。ステップ８６０においてＹＥＳと判定した場合は、つまり、運転モード切替可能な状態において運転モード切替スイッチ４３が押下された場合は、ステップ８８５においてタイマＥＴＳをリセットし、ステップ８９０において、運転モードＭＯＤＥを現在のモードから、例えば「満タン」モード→「おまかせ」モード→「深夜のみ」モードの順で一段階変更する。その後、運転モード変更処理の実行を終了して設定変更処理ルーチンに戻る。
【００７５】
ステップ８６０においてＮＯと判定した場合は、つまり運転モード切替中フラグＭＦが０である場合は、ステップ８６５において、３つの条件「時刻設定中フラグＣＦが１である」、「給湯温度設定中フラグＴＦが１である」、「一時表示フラグＴＭＰが０より大きい」のいずれかが満足されているか否か判定する。
【００７６】
ステップ８６５においてＹＥＳと判定した場合は、運転モード切替可能な状態に移行することは不可能であるため、運転モード切替可能状態に移行させることなく（運転モード切替中フラグＭＦが０のまま）、運転モード変更処理の実行を終了して、設定変更処理ルーチンに戻る。
【００７７】
ステップ８６５において、ＮＯと判定した場合は、ステップ８７０において運転モード切替中フラグＭＦを１に設定することにより、運転モード切替可能状態に移行させ、さらにステップ８７５においてタイマＥＴＳをスタートさせる（リセットする）。その後、運転モード変更処理の実行を終了して、設定変更処理ルーチンに戻る。
【００７８】
一方、ステップ８５５においてＮＯと判定した場合は、運転モード切替中フラグＭＦおよび運転モードＭＯＤＥのいずれも変更することなく、運転モード変更処理の実行を終了して、設定変更処理ルーチンに戻る。
【００７９】
図９は、図６に示すステップ４５０において実行される給湯温度設定変更処理の手順を示している。まず、ステップ９００において、給湯温度設定中フラグＴＦが１であり、かつタイマＥＴＳの示す経過時間が３秒を超えているか否か判定する。タイマＥＴＳは、給湯温度設定可能な状態に移行してからの経過時間、あるいは、その後ユーザにより給湯温度変更のために温度下げスイッチ５３あるいは温度上げスイッチ５４が押されてからの経過時間を示している。
【００８０】
ステップ９００において、ＹＥＳと判定した場合は、つまり、給湯温度設定可能な状態において温度下げスイッチ５３あるいは温度上げスイッチ５４が押されない状態が３秒を超えて継続した場合は、給湯温度設定可能な状態が終了したとして、ステップ９３０において給湯温度設定中フラグＴＦに０を設定し、給湯温度設定変更処理の実行を終了して、設定変更処理ルーチンに戻る。
【００８１】
一方、ステップ９００においてＮＯと判定した場合は、ステップ９０５において、温度下げスイッチ５３あるいは温度上げスイッチ５４が押されたか否か判定する。ステップ９０５においてＹＥＳと判定した場合は、ステップ９１０において、給湯温度設定中フラグＴＦが１であるか否か判定する。ステップ９１０においてＹＥＳと判定した場合は、つまり、給湯温度設定可能な状態において温度下げスイッチ５３あるいは温度上げスイッチ５４が押された場合は、ステップ９４０においてタイマＥＴＳをリセットし、ステップ９４５において、温度下げスイッチ５３および温度上げスイッチ５４のいずれが押されたかに基づいて、給湯設定温度ＴＳＥＴを変更する。その後、給湯温度設定変更処理の実行を終了して、設定変更処理ルーチンに戻る。
【００８２】
ステップ９１０においてＮＯと判定した場合、つまり給湯温度設定中フラグＴＦが０である場合は、ステップ９１５において、３つの条件「時刻設定中フラグＣＦが１である」、「運転モード切替中フラグＭＦが１である」、「一時表示フラグＴＭＰが０より大きい」のいずれかが満足されているか否か判定する。
【００８３】
ステップ９１５においてＹＥＳと判定した場合は、給湯温度設定可能な状態に移行することは不可能であるため、給湯温度設定可能状態に移行させることなく（給湯温度設定中フラグＴＦが０のまま）、給湯温度設定変更処理の実行を終了して、設定変更処理ルーチンに戻る。
【００８４】
ステップ９１５においてＮＯと判定した場合は、ステップ９２０において給湯温度設定中フラグＴＦを１に設定することにより、給湯温度設定可能状態に移行させ、さらにステップ９２５においてタイマＥＴＳをスタートさせる（リセットする）。その後、給湯温度設定変更処理の実行を終了して、設定変更処理ルーチンに戻る。
【００８５】
一方、ステップ９０５においてＮＯと判定した場合は、給湯温度設定中フラグＴＦおよび給湯設定温度ＴＳＥＴのいずれも変更することなく、給湯温度設定変更処理の実行を終了して、設定変更処理ルーチンに戻る。
【００８６】
図６に示すステップ４６０において実行される表示モード変更処理、および図５に示すステップ３４０において実行される表示制御処理では、台所用操作盤４０の表示部４６における表示モードが継続表示モードであるか一時表示モードであるかを示す一時表示フラグＴＭＰと、継続表示モードにおいて表示部４６に表示される表示形式を示す表示フラグＤＰＦとを用いて、表示モードの設定および表示制御を実行する。
【００８７】
一時表示フラグＴＭＰおよび表示フラグＤＰＦの設定はつぎのように行われる。ナビスイッチ４２が押されることにより継続表示モードから一時表示モードに移行すると、一時表示フラグＴＭＰに１が設定され、表示制御処理により、図３（Ｂ）に示すように、表示部４６に使用可能湯量が表示される。その後、３秒以内に再度ナビスイッチ４２が押されると、一時表示フラグＴＭＰは２にインクリメントされ、図３（Ｃ）に示すように、表示部４６に過去使用湯量が表示される。さらに３秒以内に再度ナビスイッチ４２が押されると、一時表示フラグＴＭＰは３にインクリメントされ、図３（Ｄ）に示すように、表示部４６に「強調表示モード」と表示される。その後、３秒以内にナビスイッチ４２が押されると、一時表示フラグＴＭＰは０に設定されて、これにより継続表示モードに戻る。
【００８８】
一方、図３（Ｄ）に示す表示状態において、３秒以内に温度下げスイッチ５４が押されると、一時表示フラグＴＭＰは４にインクリメントされ、強調表示モードを設定可能な状態に移行する。この状態において、３秒以内に温度下げスイッチ５４が押されるたびごとに、表示フラグＤＰＦは現在設定されている値から始めて、１→２→３→４→５→１と循環して切り替えられる。表示フラグＤＰＦが０に設定されているときには、図３（Ａ）に示すように、表示部４６に複数の情報項目が表示される通常表示形式での表示が行われる。表示フラグＤＰＦが１〜５に設定されているときには強調表示形式（強調表示モード）での表示が行われる。
【００８９】
具体的には、表示フラグＤＰＦが１に設定されているときに、図４（Ａ）に示すように使用可能湯量が強調表示され、２に設定されているときには、図４（Ｂ）に示すように過去使用湯量が強調表示され、３に設定されているときには、図４（Ｃ）に示すように時刻が強調表示される。４に設定されているときには、図４（Ｄ）に示すように給湯設定温度が強調表示され、５に設定されているときには、図４（Ｅ）に示すように貯湯量が強調表示される。強調表示モードを設定可能な状態に移行した時点で、表示フラグＤＰＦが０に設定されているときには、表示フラグＤＰＦはまず１に設定され、その後、３秒以内に温度下げスイッチ５４が押されるたびごとに、表示フラグＤＰＦは、１から始めて、１→２→３→４→５→１の順で循環して切り替えられる。強調表示モードを設定可能な状態に移行した時点で、表示フラグＤＰＦが０以外に設定されているときには、その後、３秒以内に温度下げスイッチ５４が押されるたびごとに、表示フラグＤＰＦは、設定されている値から始めて、１→２→３→４→５→１の順で循環して切り替えられる。
【００９０】
図１０および図１１は表示モード変更処理の具体的な手順を示している。まず、ステップ５００で、３つの条件「時刻設定中フラグＣＦが１である」、「運転モード切替中フラグＭＦが１である」、「給湯温度設定中フラグＴＦが１である」のいずれかが満足されているか否か判定する。ＹＥＳと判定した場合は、表示モードを変更することなく、表示モード変更処理の実行を終了して、設定変更処理ルーチンに戻る。
【００９１】
ステップ５００においてＮＯと判定した場合は、ステップ５０３において、一時表示フラグＴＭＰが０であり、かつナビスイッチ４２が押下されたか否か判定する。ＹＥＳと判定した場合は、ステップ５２０において、一時表示フラグＴＭＰを１にインクリメントし、さらにステップ５２５においてタイマＥＴをスタートさせる。その後、表示モード変更処理の実行を終了して、設定変更処理ルーチンに戻る。
【００９２】
ステップ５０３においてＮＯと判定した場合は、ステップ５０５において、一時表示フラグＴＭＰが１以上４以下であり、かつタイマＥＴの示す経過時間が３秒以下であるか否か判定する。タイマＥＴは、一時表示フラグＴＭＰが１，２、３、４のいずれかの値に更新されてからの経過時間を示している。
【００９３】
ステップ５０５においてＮＯと判定した場合は、一時表示モードにおいて３秒を超えてユーザにより切り替えのための操作が行われていないか、あるいは継続表示モードにおいてナビスイッチ４２の操作が行われていないかのどちらかであるため、ステップ５８５において一時表示フラグＴＭＰに０を設定し、これにより表示モードを継続表示モードに設定する。その後、表示モード変更処理の実行を終了して、設定変更処理ルーチンに戻る。
【００９４】
ステップ５０５においてＹＥＳと判定した場合は、ステップ５１０において、一時表示フラグＴＭＰが１または２であるか否か判定する。ＹＥＳと判定した場合は、ステップ５１５においてナビスイッチ４２が押されたか否か判定する。ＹＥＳと判定した場合は、つまり、一時表示フラグＴＭＰが１または２である状態において３秒以内にナビスイッチ４２が押された場合は、ステップ５２０において一時表示フラグＴＭＰを１だけインクリメントし、さらに、ステップ５２５においてタイマＥＴをリセットする。その後、表示モード変更処理の実行を終了して、設定変更処理ルーチンに戻る。ステップ５１５においてＮＯと判定した場合は、表示モード変更処理の実行を終了して、設定変更処理ルーチンに戻る。
【００９５】
ステップ５１０においてＮＯと判定した場合、つまり、一時表示フラグＴＭＰが３または４である場合は、ステップ５３０において、一時表示フラグＴＭＰが３であり、かつナビスイッチ４２が押されたか否か判定する。ＹＥＳと判定した場合は、つまり、表示部４６に図３（Ｄ）に示す表示が行われている状態において３秒以内にナビスイッチ４２が押された場合は、ステップ５３５において、一時表示フラグＴＭＰに０を設定することにより、一時表示モードから継続表示モードに移行させ、さらに表示フラグＤＰＦに０を設定することにより表示形式を通常表示形式に設定する。その後、表示モード変更処理の実行を終了して、設定変更処理ルーチンに戻る。
【００９６】
ステップ５３０においてＮＯと判定した場合は、ステップ５４０において、温度下げスイッチ５３が押されたか否か判定する。ＮＯと判定した場合は、表示モード変更処理の実行を終了して、設定変更処理ルーチンに戻る。ステップ５４０においてＹＥＳと判定した場合は、つまり、ＴＭＰが３または４に設定されている状態において３秒以内に温度下げスイッチ５３が押された場合は、ステップ５４５においてタイマＥＴをリセットする。さらに、ステップ５５０において、一時表示フラグＴＭＰが３であるか否か判定する。
【００９７】
ステップ５５０においてＹＥＳと判定した場合は、つまり、一時表示フラグＴＭＰが３である場合は、ステップ５５５において一時表示フラグＴＭＰに４を設定する。さらに、ステップ５６０において表示フラグＤＰＦが０であるか否か判定し、ＹＥＳと判定した場合は、ステップ５６５において表示フラグＤＰＦに１を設定し、その後、表示モード変更処理の実行を終了して、設定変更処理ルーチンに戻る。ステップ５６０においてＮＯと判定した場合は、つまり、表示フラグＤＰＦに１〜５のいずれかの値に設定されている場合は、表示フラグＤＰＦの設定を変更することなく、表示モード変更処理の実行を終了して、設定変更処理ルーチンに戻る。
【００９８】
ステップ５５０においてＮＯと判定した場合は、つまり、一時表示フラグＴＭＰが４である場合は、ステップ５７０において、表示フラグＤＰＦが１以上４以下であるか否か判定する。ＹＥＳと判定した場合は、ステップ５７５において、表示フラグＤＰＦを１だけインクリメントし、その後、表示モード変更処理の実行を終了して、設定変更処理ルーチンに戻る。ステップ５７０においてＮＯと判定した場合は、つまり、表示フラグＤＰＦが５である場合は、ステップ５８０において表示フラグＤＰＦに１を設定して、その後、表示モード変更処理の実行を終了して、設定変更処理ルーチンに戻る。
【００９９】
つぎに、図５に示すステップ３４０において実行される表示制御処理の手順について図１２に基づいて説明する。ステップ６００において、使用可能湯量ＶＡをつぎのように算出する。貯湯タンク３０に配設された複数の湯温センサ（図示せず）により検出した湯温をＴｉ（ｉ＝１，…，ｎ）とし、貯湯タンク３０全体の容量をＶ、そのうち各湯温センサに対応する部分の容積をＶｉ（ｉ＝１，…，ｎ）とすると、貯湯タンク３０内の湯に水温Ｔ０の水道水を混合して給湯設定温度ＴＥＳＴで給湯を行う場合には、下記の式に示すように、混合前の湯および水の熱量と、混合後の湯の熱量が等しくなる。
【０１００】
【数１】
ΣＴｉＶｉ  ＋  Ｔ０Ｖｘ  ＝  ＴＳＥＴ（Ｖｘ  ＋  Ｖ）
但し、Ｖｘは混合される水量を示している。この式から混合水量Ｖｘを算出し、その混合水量Ｖｘを用いて使用可能湯量ＶＡは下記の式により求めることができる。
【０１０１】
【数２】
ＶＡ  ＝  Ｖｘ  ＋  Ｖ
ステップ６１０では、浴室用操作盤の表示部への表示を実行する。具体的には、現在時刻、風呂設定温度、設定水位、現在の実際の浴水の水位などを、これらの情報を表示するために表示部内に設けられた各表示領域に表示する。
【０１０２】
ステップ６２０では、台所用操作盤４０の表示部４６に、現在時刻、給湯温度、貯湯量、運転モードなどを図１３に示す手順で表示させる。まず、ステップ７００で、一時表示フラグＴＭＰが４であるか否か判定する。ＹＥＳと判定した場合は、ステップ７４０において、表示パターンフラグＤＰＮに表示フラグＤＰＦの値を設定する。
【０１０３】
図１４は表示パターンフラグＤＰＮの値と、表示部４６への表示に用いられる表示パターンとの対応を示している。一時表示フラグＴＭＰが４であるときには、強調表示モードを設定可能な状態であり、表示フラグＤＰＦは１から５までの間で循環して切り替えられる。そこで、ステップ７４０において、表示パターンフラグＤＰＮに表示フラグＤＰＦの値を設定すると、強調表示モード設定可能な状態における図４（Ａ）〜（Ｅ）に示すような「使用可能湯量」強調表示、「過去使用湯量」強調表示、「時刻」強調表示、「給湯設定温度」強調表示、「貯湯量」強調表示の間での切り替えを実現することができる。
【０１０４】
ステップ７００においてＮＯと判定した場合は、ステップ７０５において、一時表示フラグＴＭＰが０であるか否か判定する。ＹＥＳと判定した場合は、ステップ７１０において時刻設定中フラグＣＦが１であると判定したら、ステップ７１５において表示パターンフラグを７に設定し、ステップ７２０において運転モード切替中フラグＭＦが１であると判定したら、ステップ７２５において表示パターンフラグを８に設定し、ステップ７３０において給湯温度設定中フラグＴＦが１であると判定したら、ステップ７３５において表示パターンフラグを９に設定する。時刻設定フラグＣＦ、運転モード切替中フラグＭＦ、給湯温度設定中フラグＴＦのいずれも１に設定されていない場合は、ステップ７４０において、表示パターンフラグＤＰＮに表示フラグＤＰＦの値を設定する。
【０１０５】
一時表示フラグＴＭＰに０が設定されているときには、時刻設定中、運転モード切替中、給湯温度設定中のいずれでもない場合には継続表示モードでの表示が行われるため、表示フラグＤＰＮに設定されている０〜５の値を表示パターンフラグＤＰＮに設定すると、ユーザによる設定に応じて、図３（Ａ）に示す通常表示形式による表示、図４（Ａ）〜（Ｅ）に示す強調表示形式による表示のいずれかで表示することができる。一方、時刻設定中、運転モード切替中、給湯温度設定中である場合は、それぞれ表示パターンフラグＤＰＮ７〜８に対応する時刻設定中表示パターン、運転モード切替中表示パターン、給湯温度設定中表示パターン（いずれも図示せず）での表示が行われる。
【０１０６】
ステップ７０５においてＮＯと判定した場合は、ステップ７４５において、一時表示フラグＴＭＰが１または２であるか否か判定する。ＹＥＳと判定した場合は、ステップ７５０において表示パターンフラグＤＰＮに一時表示フラグＴＭＰの値を設定する。このように設定することにより、一時表示フラグＴＭＰが１に設定されている場合の「使用可能湯量」一時表示、一時表示フラグＴＭＰが２に設定されている場合の「過去使用湯量」一時表示を実現することができる。
【０１０７】
ステップ７４５においてＮＯと判定した場合は、つまり、一時表示フラグＴＭＰが３である場合は、表示パターンフラグＤＰＮに６を設定する。これにより、一時表示フラグＴＭＰに３が設定されている場合に、表示部４６に「強調表示モード」と表示させることができる。
【０１０８】
このようにしてステップ７００〜７５５において表示パターンフラグＤＰＮの設定を行い、ステップ７６０において、表示部４６に表示するための画像を、表示パターンフラグＰＤＮに設定されている値に対応する表示パターンで生成する。このとき、運転モードＭＯＤＥ、沸き増し中フラグＨＦ、ステップ６００において算出した使用可能湯量ＶＡ、過去使用湯量ＰＶ１〜ＰＶ７、現在時刻ＳＣＬＯＣＫ、給湯設定温度ＴＳＥＴ、ステップ３１０において算出した貯湯量ＴＶなどの値を用いて、画像が生成される。ステップ７６５で、台所用操作盤４０の表示部４６に画像を表示する。
【０１０９】
本実施形態の給湯装置においては、ユーザが表示部４６の表示を強調表示に切り替えて、１つの項目のみを表示部４６全体に表示させることができるため、従来のように固定の各表示領域に情報が表示される場合に比較して、ユーザが必要とする情報のみを読み取りやすく表示することができる。これにより、ユーザが高齢者や弱視者であるような場合でも、情報を読み取ることが可能である。
【０１１０】
本実施形態における台所用操作盤４０の表示部４６は表示手段に対応しており、ナビスイッチ４２は表示設定手段の設定開始手段に対応しており、温度下げスイッチ５３は給湯設定手段および表示設定手段の切替手段に対応している。運転モード切替スイッチ４３、時刻設定スイッチ４５、および温度上げスイッチ５４は、本発明の給湯設定手段に対応している。流量カウンタ２３、２６および制御装置２００は、使用状況取得手段に対応している。
【０１１１】
また、本実施形態におけるステップ４６０は本発明の表示設定手段に対応しており、ステップ６２０は本発明の表示制御手段に対応している。運転モードＭＯＤＥ、給湯設定温度ＴＥＳＴ、現在時刻ＳＣＬＯＣＫは、本発明の給湯制御に用いられる所定事項に対応しており、過去使用湯量ＰＶ１〜ＰＶ７は、ユーザによる湯の使用状況に関連する所定事項のデータに対応しており、使用可能湯量ＶＡおよび貯湯量ＴＶは給湯能力に関連する情報に対応している。
【０１１２】
（第２実施形態）
上記第１実施形態においては、台所用操作盤４０の表示部４６に強調表示形式（強調表示モード）で表示を行う際には、表示部４６全体に１つの項目のみを表示したが、これに対して、第２実施形態では、図１５（Ａ）〜（Ｅ）に示すように、１つの項目のみではなく他のいくつかの項目も表示する。但し、強調表示される１つの項目は、他の項目に比較して大きく表示される。図１５（Ａ）は「使用可能湯量」の強調表示例を示しており、図１５（Ｂ）は「過去使用湯量」の強調表示例を示している。図１５（Ｃ）は「時刻」の強調表示例を示しており、図１５（Ｄ）は「貯湯量」の強調表示例を示している。また、図１５（Ｅ）は「給湯設定温度」の強調表示例を示している。
【０１１３】
本実施形態においては、図１３に示すステップ７６０において、表示パターンフラグＤＰＮの１〜５に対して、それぞれ図１５（Ａ）〜（Ｅ）に示す表示の表示パターンを対応させて、画像生成を行う。その他の部分の構成は上記第１実施形態と同様である。
【０１１４】
本実施形態の構成によると、ユーザが最も必要とする項目が拡張表示されるため、ユーザが高齢者や弱視者である場合でもこの情報を読み取りやすい。また、他のいくつかの項目も合わせて表示されるため、これらの項目を読み取ることが可能なユーザは、わざわざ切り替えてこれらの項目を拡張表示させなくても、これらの情報を得ることができる。
【０１１５】
（第３実施形態）
上記第１実施形態では、ユーザが温度下げスイッチ５３により強調表示を切り替え可能な状態であるとき、つまり、強調表示モードの設定中に、台所用操作盤４０の表示部４６には、強調表示が継続的に表示されている場合と全く同様の表示が行われていた。これに対して、第３実施形態では、温度下げスイッチ５３を押すことにより切り替え可能な状態においては、図１６（Ａ）および（Ｂ）に示すように、シンボル５９を表示し、これを例えば３秒間に３回点滅させる。図１６（Ｂ）の表示状態において温度下げスイッチ５３が押されないまま３秒を超えると、図１６（Ｃ）のようにシンボル５９の表示が消えて、この強調表示状態が確定し、継続表示モードに移行する。
【０１１６】
本実施形態では、図１３に示す台所用操作盤表示処理を図１７に示すように修正して実行することにより、上記のようなシンボル５９の点滅を実現することができる。ステップ７００〜７５５において表示パターンフラグＤＰＮに値を設定した後、ステップ７５７において、一時表示フラグＴＭＰが３または４であるときに、タイマＥＴに関して条件「０＜ＥＴ≦０．５ｓまたは１＜ＥＴ≦１．５ｓまたは２＜ＥＴ≦２．５ｓ」が満足されている場合は、表示パターンフラグＤＰＮを９だけインクリメントした値に修正する。その後、ステップ７６０において、図１８に示すように表示パターンフラグＤＰＮに表示パターンを対応させて、画像を生成する。
【０１１７】
表示パターンフラグＤＰＮが１０〜１５の場合に対して、各強調表示の右下にシンボル５９を表示する表示パターンが対応しているため、ステップ７５７および７５８を上記のように実行すると、タイマＥＴが条件「０＜ＥＴ≦０．５ｓまたは１＜ＥＴ≦１．５ｓまたは２＜ＥＴ≦２．５ｓ」を満足しているときには、表示部４６の右下にシンボル５９が表示される。このようにして３秒間に３回シンボル５９を点滅させて表示させることができる。その他の部分の構成は上記第１実施形態と同様である。
【０１１８】
本実施形態によると、ユーザは、シンボル５９の点滅により、現在、強調表示を切り替え可能な状態であることを認識することができ、また、シンボル５９が消えたことにより、切り替え可能な状態が終了して表示が確定したことを知ることができる。
【０１１９】
（第４実施形態）
上記第１実施形態では、台所用操作盤４０の表示部４６全体がドットマトリクス領域により構成されていたが、これに対して、第４実施形態においては、図１９（Ａ）に示すように、表示部４６に運転モード表示領域および沸き増し中表示領域が固定表示領域５６として設けられており、それ以外の部分のみがドットマトリクス領域になっている。固定表示領域５６には表示される文字が予め印刷されており、これらの文字のうち、表示させたい部分を点灯させることにより、表示が行われる。
【０１２０】
本実施形態では、強調表示モードを設定可能な状態へ移行するときに表示される「強調表示モード」の文字および「使用可能湯量」、「過去使用湯量」、「時刻」、「給湯設定温度」、「貯湯量」の各強調表示は、図１９（Ｂ）および（Ｃ）に示すように、ドットマトリクス領域５７全体に表示される
本実施形態では、図１３に示す台所用操作盤表示処理が図２０に示すように修正されて、実行される。ステップ７６０において、使用可能湯量ＶＡ、過去使用湯量ＰＶ１〜ＰＶ７、現在時刻ＳＣＬＯＣＫ、給湯設定温度ＴＳＥＴ、貯湯量ＴＶなどを用いて画像を生成し、生成した画像を、ステップ７７０においてドットマトリクス領域５７に表示し、ステップ７７５において、設定されている運転モードＭＯＤＥに基づいて運転モード表示領域の適当な部分を点灯させることにより、運転モードの表示を実行する。さらに、ステップ７８０において、沸増し中フラグＨＦに設定されている値に基づいて、必要であれば、沸増し中表示領域の適当な部分を点灯させることにより、沸き増し中の表示を行う。
【０１２１】
このようにして、表示部４６全体がドットマトリクス領域で構成されていない場合でも、表示部４６の一部としてある程度の大きさのドットマトリクス領域を有していれば、そのドットマトリクス領域を利用して強調表示（拡張表示）を行うことが可能である。
【０１２２】
（第５実施形態）
上記第１実施形態では、台所用操作盤４０において、ユーザがナビスイッチ４２を操作することにより、継続表示モードから一時表示モードに切り替えたり、あるいは、強調表示形式の設定が可能な状態に移行させたりすることができる構成であったが、これに対して、第５実施形態においては、上記第１実施形態におけるような強調表示は行わないが、一時表示モードにおいて、使用可能湯量や過去使用湯量に加えて、ユーザに対するアドバイス情報を表示させることが可能であり、また、湯張りなどの実行中には、湯張り完了までの残り所要時間を表示させるカウントダウンモードに設定することが可能である。
【０１２３】
図２１（Ａ）〜（Ｉ）は、ユーザによりナビスイッチ４２が操作された場合の表示部４６における表示の切り替わりを示している。図２１（Ａ）に示すように通常表示形式で情報が継続的に表示されている状態（継続表示モード）において、ユーザによりナビスイッチ４２が１回押されると、図２１（Ｂ）に示すように、表示部４６全体に「使用可能湯量」と表示され、この状態において所定時間（例えば３秒）以内にナビスイッチ４２がもう１回押されると、図２１（Ｃ）に示すように、表示部４６全体に「過去使用湯量」と表示される。その後、３秒以内にナビスイッチ４２がもう１回押されると、図２１（Ｄ）に示すように、表示部４６全体に「お勧めモードガイド」と表示される。その後、さらに３秒以内にナビスイッチ４２が押されると、図２１（Ｅ）に示すように、表示部４６全体に「カウントダウンモード」と表示され、この状態において、３秒以内にナビスイッチ４２が押されると、図２１（Ａ）に示す通常表示形式での継続表示状態に戻る。
【０１２４】
図２１（Ｂ）に示す表示状態において、３秒以内にナビスイッチ４２が押されなかった場合は、ユーザにより「使用可能湯量」の一時表示が選択されたと判断して、図２１（Ｆ）に示すように、表示部４６全体に使用可能湯量が数値で表示される。この表示状態は３０秒間継続し、その後、図２１（Ａ）に示す通常表示形式での継続表示状態に戻る。あるいは、３０秒以内にナビスイッチ４２が押された場合には、その時点で通常表示形式での継続表示状態に戻る。
【０１２５】
図２１（Ｃ）に示す表示状態において、３秒以内にナビスイッチ４２が押されなかった場合は、ユーザにより「過去使用湯量」の一時表示が選択されたと判断して、図２１（Ｇ）に示すように、表示部４６全体に過去一週間（７日間）の使用湯量がグラフで表示される。この表示状態は３０秒継続し、その後、通常表示形式での継続表示状態に戻る。あるいは、３０秒以内にナビスイッチ４２が押された場合には、その時点で通常表示形式での継続表示状態に戻る。
【０１２６】
図２１（Ｄ）に示す表示状態において、３秒以内にナビスイッチ４２が押されなかった場合は、ユーザにより「お勧めモードガイド」の一時表示が選択されたと判断して、図２１（Ｈ）に示すように、表示部４６全体にお勧め運転モードが表示される。お勧め運転モードは、「満タン」「おまかせ」「深夜のみ」の３つの運転モードの中から、ユーザによる過去の湯の使用状態などに基づいて、制御装置２００により最適な運転モードとして選択されたもので、ユーザへのアドバイス情報として提供される。お勧め運転モードの表示は３０秒間継続し、その後、通常表示形式での継続表示状態に戻る。あるいは、３０秒以内にナビスイッチ４２が押された場合には、その時点で通常表示形式での継続表示状態に戻る。
【０１２７】
図２１（Ｅ）に示す表示状態において、３秒以内にナビスイッチ４２が押されなかった場合は、ユーザにより「カウントダウンモード」が選択されたと判断して、例えば、現在湯張りの実行中である場合には、図２１（Ｉ）に示すように、表示部４６全体に湯張り完了までの残り所要時間が表示される。この残り所要時間は、湯張りの進行に従ってカウントダウンされていき、残り所要時間が１分をきった場合には、秒での表示に切り替わる。また、湯張りの実行中に、浴室用操作盤においてユーザにより風呂設定温度や設定水位などが変更された場合には、残り所要時間は新しい設定に基づいて計算されたものに切り替わる。このようなカウントダウンモードでの表示は、湯張りが完了するまで継続し、湯張りが完了すると、通常表示形式での継続表示状態に戻る。あるいは、湯張り実行中にナビスイッチ４２が押された場合には、その時点で通常表示形式での継続表示状態に戻る。
【０１２８】
また、循環回路１０のクリーニングの実行中である場合には、台所用操作盤４０においてユーザによりカウントダウンモードが選択されると、クリーニング完了までの残り所要時間の表示を行う。
【０１２９】
図２２（Ａ）は図２１（Ｅ）と同様の表示状態を示しており、クリーニングの実行中にこの表示状態において３秒以内にナビスイッチ４２が押されなかった場合は、図２２（Ｂ）に示すように、クリーニング完了までの残り所要時間の表示を行う。残り所要時間は、クリーニングが完了するまでカウントダウンされていき、クリーニングが完了すると、通常表示形式での継続表示状態に戻る。あるいは、クリーニング実行中にナビスイッチ４２が押された場合には、その時点で通常表示形式での継続表示状態に戻る。
【０１３０】
図２３は、湯張りもクリーニングも実行されていないときに、カウントダウンモードが選択された場合の表示例を示している。図２３（Ａ）は図２１（Ｅ）と同様の表示状態を示しており、湯張りもクリーニングも実行されていないときに、この表示状態において３秒以内にナビスイッチ４２が押されなかった場合は、図２３（Ｂ）示すように、表示部４６全体に「動作中項目がありません」と表示される。この表示は３秒間継続し、その後、通常表示形式での継続表示状態に戻る。あるいは、３秒以内にナビスイッチ４２が押された場合には、その時点で通常表示形式での継続表示状態に戻る。
【０１３１】
本実施形態の給湯装置においては、制御装置２００により上記第１実施形態とほぼ同様の制御処理が実行されるが、図６に示すステップ４６０において実行される表示モード変更処理、および図５に示すステップ３４０において実行される表示制御処理の手順が上記第１実施形態と異なる。これらの処理の詳細については後述する。
【０１３２】
また、本実施形態における制御処理では、湯張りやクリーニングの実行中であることを示す作業中フラグＷＦを用いる。作業中フラグＷＦは、図５に示すステップ３００において０に初期設定され、その後ステップ３１５において循環回路１０のクリーニングが開始されるときに２に設定され、クリーニングが終了すると０に設定される。また、ステップ３２０において、湯張りが開始されるときに１に設定され、湯張りが終了すると０に設定される。
【０１３３】
表示モード変更処理および表示制御処理では、一時表示フラグＴＭＰおよび表示フラグＤＰＦがつぎのように設定されて用いられる。通常表示形式で継続表示中には、一時表示フラグＴＭＰが０に設定されており、この状態からナビスイッチ４２が１回押されると、一時表示フラグＴＭＰは１に設定され、その後ナビスイッチ４２が３秒以内に繰り返し押されるたびに、一時表示フラグＴＭＰは１→２→３→４→０と循環して切り替えられる。従って、図２１（Ａ）〜（Ｄ）に示す表示状態においては、一時表示フラグＴＭＰはそれぞれ０〜３に設定されており、図２１（Ｅ）、図２２（Ａ）、図２３（Ａ）に示す表示状態においては、一時表示フラグＴＭＰは４に設定されている。
【０１３４】
一時表示フラグＴＭＰが１、２、３のいずれかに設定されている状態において、ナビスイッチ４２が押されないまま３秒が経過すると、一時表示フラグＴＭＰは６に設定される。このとき、一時表示フラグＴＭＰが１の場合には表示フラグＤＰＦに１が設定され、一時表示フラグＴＭＰが２の場合には表示フラグＤＰＦに２が設定され、一時表示フラグＴＭＰが３の場合は表示フラグＤＰＦに３が設定される。従って、図２１（Ｆ）〜（Ｈ）に示す表示状態においては、一時表示フラグＴＭＰは６に設定されており、表示フラグＤＰＦはそれぞれ１、２、３に設定されている。
【０１３５】
一時表示フラグＴＭＰが４に設定されている状態において、ナビスイッチ４２が押されないまま３秒が経過すると、作業中フラグＷＦが湯張り中を示す１に設定されている場合は、一時表示フラグＴＭＰは７に設定され、作業中フラグＷＦがクリーニング中を示す２に設定されている場合は、一時表示フラグＴＭＰは８に設定され、作業中フラグＷＦが０に設定されている場合は、一時表示フラグＴＭＰは５に設定される。従って、図２１（Ｉ）に示す表示状態においては、一時表示フラグＴＭＰが７に設定されており、図２２（Ｂ）に示す表示状態においては、一時表示フラグＴＭＰが８に設定されており、図２３（Ｂ）に示す表示状態においては、一時表示フラグＴＭＰが５に設定されている。
【０１３６】
また、一時表示フラグＴＭＰが６に設定されている状態において、３０秒が経過した場合、あるいはナビスイッチ４２が押された場合には、一時表示フラグＴＭＰは０に設定される。一時表示フラグＴＭＰが５に設定されている状態において、３秒が経過した場合、あるいはナビスイッチ４２が押された場合は、一時表示フラグＴＭＰは０に設定される。一時表示フラグＴＭＰが７または８に設定されている状態において、ナビスイッチ４２が押された場合、あるいは作業中フラグＷＦが０に設定された場合（湯張りあるいはクリーニングが完了した場合）は、一時表示フラグＴＭＰは０に設定される。
【０１３７】
図２４および図２５は表示モード変更処理の手順を示している。まず、ステップ５００において、時刻設定中フラグＣＦ、運転モード切替中フラグＭＦ、給湯温度設定中フラグＴＦのいずれかが１に設定されているか否か判定する。ＹＥＳと判定した場合は、そのまま設定変更処理ルーチンに戻る。
【０１３８】
ステップ５００においてＹＥＳと判定した場合は、ステップ５０６において、一時表示フラグＴＭＰが０であるか否か判定する。ＹＥＳと判定した場合はステップ５１６に進む。ＮＯと判定した場合は、ステップ５０７において、一時表示フラグＴＭＰが１以上５以下であり、かつタイマＥＴの示す経過時間が３秒以下であるか否か判定する。ＹＥＳと判定した場合はステップ５１６に進む。
【０１３９】
ステップ５０７においてＮＯと判定した場合は、ステップ５１２において、一時表示フラグＴＭＰが６であり、かつタイマＥＴの示す経過時間が３０秒以下であるか否か判定する。ＹＥＳと判定した場合はステップ５１６に進む。
【０１４０】
ステップ５１２においてＮＯと判定した場合は、ステップ５１３において、一時表示フラグＴＭＰが１以上３以下であるか否か判定する。ＮＯと判定した場合は、ステップ５４２に進む。ステップ５１３においてＹＥＳと判定した場合は、つまり、一時表示フラグＴＭＰが１、２、３のいずれかに設定されており、タイマＥＴの示す経過時間が３秒を超えている場合は、ステップ５２３において表示フラグＤＰＦに一時表示フラグＴＭＰの値を設定し、ステップ５２４において一時表示フラグＴＭＰを６に設定し、さらにステップ５３２においてタイマＥＴをリセットして、設定変更処理ルーチンに戻る。
【０１４１】
ステップ５１６では、ナビスイッチ４２が押下されたか否か判定する。ＮＯと判定した場合は、設定変更処理ルーチンに戻る。ＹＥＳと判定した場合は、ステップ５１８において、一時表示フラグＴＭＰが４以上６以下であるか否か判定する。ＹＥＳと判定した場合は、つまり、一時表示フラグＴＭＰが４または５に設定されている状態において３秒以内にナビスイッチ４２が押されたか、あるいは一時表示フラグＴＭＰが６に設定されている状態において３０秒以内にナビスイッチ４２が押された場合は、ステップ５２８において一時表示フラグＴＭＰに０を設定し、これにより通常表示形式での継続表示に戻して、設定変更処理ルーチンに戻る。
【０１４２】
ステップ５１８においてＮＯと判定した場合は、つまり、一時表示フラグＴＭＰが０である状態においてナビスイッチ４２が押されたか、あるいは一時表示フラグＴＭＰが１、２、３のいずれかに設定されている状態において３秒以内にナビスイッチ４２が押された場合は、ステップ５３１において一時表示フラグＴＭＰを１だけインクリメントし、ステップ５３２においてタイマＥＴをリセットして、設定変更処理ルーチンに戻る。
【０１４３】
ステップ５４２では、一時表示フラグＴＭＰが５であるか否か判定する。ＹＥＳと判定した場合は、つまり、一時表示フラグＴＭＰが５に設定されている状態においてナビスイッチ４２が押されることなく３秒を経過した場合は、ステップ５８６において、一時表示フラグＴＭＰを０に設定し、これにより通常表示形式での継続表示に戻して、設定変更処理ルーチンに戻る。
【０１４４】
一方、ステップ５４２においてＮＯと判定した場合は、ステップ５４８において、一時表示フラグＴＭＰが７または８であるか否か判定する。ＹＥＳと判定した場合は、ステップ５５２において、「ナビスイッチ４２が押下される」か、あるいは「作業中フラグＷＦが０に設定されている」か、いずれかの条件が満足されているか否か判定する。ＹＥＳと判定した場合は、つまり、カウントダウンモードでの表示状態においてナビスイッチ４２が押されるか、あるいは湯張りまたはクリーニングが完了した場合は、ステップ５８６において、一時表示フラグＴＭＰを０に設定し、これによりカウントダウンモードから通常表示形式での継続表示に戻して、設定変更処理ルーチンに戻る。
【０１４５】
ステップ５５２においてＮＯと判定した場合は、つまり、カウントダウンモードでの表示状態において、ナビスイッチ４２が押されておらず、かつ湯張りあるいはクリーニングが完了していない場合には、一時表示フラグＴＭＰの設定を変更することなく、そのまま設定変更処理ルーチンに戻る。
【０１４６】
ステップ５４８においてＮＯと判定した場合は、ステップ５５８において、一時表示フラグＴＭＰが４であるか否か判定する。ＮＯと判定した場合は、つまり、一時表示フラグＴＭＰが６に設定されている状態においてナビスイッチ４２が押されることなく３０秒を経過した場合は、ステップ５５９において、一時表示フラグＴＭＰを０に設定し、これにより一時表示モードから通常表示形式での継続表示に戻して、設定変更処理ルーチンに戻る。
【０１４７】
ステップ５５８においてＹＥＳと判定した場合は、つまり、一時表示フラグＴＭＰが４に設定されている状態においてナビスイッチ４２が押されることなく３秒を経過した場合は、ステップ５６３において、作業中フラグＷＦの値が０、１、２のいずれに設定されているか判定する。
【０１４８】
作業中フラグＷＦが１に設定されている場合は、つまり、湯張り実行中である場合は、ステップ５６７において一時表示フラグＴＭＰに７を設定する。作業中フラグＷＦが２に設定されている場合は、つまり、クリーニング実行中である場合は、ステップ５７２において一時表示フラグＴＭＰに８を設定する。作業中フラグＷＦが０に設定されている場合は、つまり、湯張りとクリーニングのいずれも実行中でない場合は、ステップ５６８において一時表示フラグＴＭＰに５を設定する。
【０１４９】
ステップ５６７、５６８、５７２のいずれかにおいて一時表示フラグＴＭＰを５、７、８のいずれかに設定した後、ステップ５８８においてタイマＥＴをリセットし、設定変更処理ルーチンに戻る。
【０１５０】
図２６は表示制御処理の手順を示している。ステップ６００では、上記第１実施形態と同様にして、使用可能湯量ＶＡを算出する。但し、使用可能湯量ＶＡの算出は、一時表示フラグＴＭＰが６に設定されており、かつ表示フラグＤＰＦが１に設定されている場合にのみ、つまり、使用可能湯量ＶＡを実際に表示に用いる場合にのみ、行うようにしてもよい。
【０１５１】
つぎに、ステップ６０２において、作業中フラグＷＦの値が０、１、２のいずれに設定されているか判定する。作業中フラグＷＦが０である場合はステップ６０８に進む。
【０１５２】
作業中フラグＷＦが１に設定されている場合は、ステップ６０４において、湯張りが完了するまでの所要時間である湯張り残り時間ＳＴＩＭＥを算出する。具体的には、風呂設定温度、設定水位、現在の実際の浴水の水位などに基づいて、湯張り残り時間ＳＴＩＭＥを算出する。但し、湯張り残り時間ＳＴＩＭＥの算出は、一時表示フラグＴＭＰが７に設定されている場合にのみ、つまり、湯張り残り時間ＳＴＩＭＥを実際に表示に用いる場合にのみ、行うようにしてもよい。ステップ６０４の実行後、ステップ６０８に進む。
【０１５３】
作業中フラグＷＦが２に設定されている場合は、ステップ６０６において、クリーニングが完了するまでの所要時間であるクリーニング残り時間ＣＴＩＭＥを算出する。具体的には、クリーニングを行う所定の時間から、クリーニング開始後これまでに経過した時間を減算して、クリーニング残り時間ＣＴＩＭＥを算出する。但し、クリーニング残り時間ＣＴＩＭＥの算出は、一時表示フラグＴＭＰが８に設定されている場合にのみ、つまり、クリーニング残り時間ＣＴＩＭＥを実際に表示に用いる場合にのみ、行うようにしてもよい。ステップ６０６の実行後、ステップ６０８に進む。
【０１５４】
ステップ６０８では、ユーザによる過去の湯の使用状況などに基づいて、お勧め運転モードＲＭＯＤＥを「満タン」、「おまかせ」、「深夜のみ」のいずれかに決定する。ステップ６１０では、上記第１実施形態と同様にして、浴室用操作盤の表示部への表示を実行する。
【０１５５】
ステップ６２５では、台所用操作盤４０の表示部４６への表示を図２７に示す手順で実行する。まず、ステップ７０２において、一時表示フラグＴＭＰが１以上４以下であるか否か判定する。ＹＥＳと判定した場合は、ステップ７４２において、表示パターンフラグＤＰＮに一時表示フラグＴＭＰの値を設定する。
【０１５６】
図２８は表示パターンフラグＤＰＮの値と、表示部４６への表示に用いられる表示パターンとの対応を示している。一時表示フラグＴＭＰが１、２、３、４に設定されているときに、表示パターンフラグＤＰＮにこの一時表示フラグＴＭＰの値を設定すると、それぞれ図２１（Ｂ）〜（Ｅ）に示すようなタイトル表示を実現することができる。
【０１５７】
一方、ステップ７０２においてＮＯと判定した場合は、ステップ７０５において、一時表示フラグＴＭＰが０であるか否か判定する。ＹＥＳと判定した場合は、ステップ７１０〜７３５を、上記第１実施形態と同様にして実行し、これにより、時刻設定中フラグＣＦ、運転モード切替中フラグＭＦ、給湯温度設定中フラグＴＦが１に設定されている場合に、それぞれ表示パターンフラグＤＰＮを１１、１２、１３に設定する。これにより、時刻設定中表示、運転モード切替中表示、給湯温度設定中表示を実現することができる。
【０１５８】
ステップ７３０においてＮＯと判定した場合は、つまり、時刻設定中、運転モード切替中、給湯温度設定中のいずれでもなく、一時表示フラグＴＭＰが０に設定されている場合は、ステップ７４２において、表示パターンフラグＤＰＮに一時表示フラグＴＭＰの値である０を設定する。これにより、通常表示形式での表示を実現することができる。
【０１５９】
ステップ７０５においてＮＯと判定した場合は、ステップ７４３において、一時表示フラグＴＭＰが６に設定されているか否か判定する。ＹＥＳと判定した場合は、ステップ７４４において、表示フラグＤＰＦに４を加算した値を表示パターンフラグＤＰＮに設定する。これにより、一時表示フラグＴＭＰが６に設定されている場合に、１、２、３のいずれかに設定されている表示フラグＤＰＦに応じて、それぞれ図２１（Ｆ）〜（Ｈ）に示すような表示を実現することができる。
【０１６０】
ステップ７４３においてＮＯと判定した場合は、ステップ７４８において、一時表示フラグＴＭＰが７または８に設定されているか否か判定する。ＹＥＳと判定した場合は、ステップ７５２において、一時表示フラグＴＭＰに１を加算した値を表示パターンフラグＤＰＮに設定する。これにより、図２１（Ｉ）および図２２（Ｂ）に示すような、残り時間表示を実現することができる。
【０１６１】
ステップ７４８においてＮＯと判定した場合は、つまり、一時表示フラグＴＭＰが５に設定されている場合は、ステップ７５３において、表示パターンフラグＤＰＮに１０を設定する。これにより、図２３（Ｂ）に示すような表示を実現することができる。
【０１６２】
このようにして、ステップ７０２〜７５３において表示パターンフラグＤＰＮの設定を行い、ステップ７６３において、表示部４６に表示するための画像を、表示パターンフラグＰＤＮに設定されている値に対応する表示パターンで生成する。このとき、運転モードＭＯＤＥ、沸き増し中フラグＨＦ、使用可能湯量ＶＡ、過去使用湯量ＰＶ１〜ＰＶ７、現在時刻ＳＣＬＯＣＫ、給湯設定温度ＴＳＥＴ、貯湯量ＴＶ、湯張り残り時間ＳＴＩＭＥ、クリーニング残り時間ＣＴＩＭＥ、お勧め運転モードＲＭＯＤＥなどの値を用いて、画像が生成される。ステップ７６８で、台所用操作盤４０の表示部４６に画像を表示する。
【０１６３】
本実施形態の給湯装置においては、ユーザの操作によりアドバイス情報としてお勧めモードを表示部４６に表示させることができるため、ユーザが運転モードを設定する際には、まずお勧めモードを表示させて、これを参考にして運転モードを決定することができる。また、湯張りやクリーニングの実行中には、残り所要時間を表示部４６に表示させて確認することができ、これにより、特に湯張りの実行中には何分後に入力が可能となるのかを知ることができる。
【０１６４】
本実施形態における循環ポンプ１１、電動弁１２、三方弁１８、電磁弁２２、温調弁３４は、本発明の作業実行手段および風呂給湯手段に対応しており、浴室用操作盤のクリーニングスイッチおよび台所用操作盤４０の自動スイッチ４１は、本発明の作業指示手段に対応している。
【０１６５】
また、本実施形態におけるステップ３１５およびステップ３２０は本発明の作業実行制御手段に対応しており、ステップ３１０および６００は給湯能力情報生成手段に対応している。さらに、本実施形態におけるステップ６０４およびステップ６０６は本発明の残り時間算出手段に対応しており、ステップ６０８はアドバイス情報生成手段に対応している。
【０１６６】
（他の実施形態）
本発明は上記実施形態に限定されることなく、特許請求の範囲に記載した発明の範囲内でつぎのように種々の変形が可能である。
【０１６７】
上記実施形態において、「前日の総使用湯量」、「前月の累積使用湯量」、給湯装置を使用したことによる「過去１週間分の消費電力量」、「前日の電気料金」「前月の電気料金」などを算出し、これらの情報項目を、ナビスイッチ４２を操作することにより一時的に表示させることができる情報項目として、あるいは強調表示させることができる情報項目として加えてもよい。
【０１６８】
上記第１〜第４実施形態において、一時表示モードで図３（Ｂ）および（Ｃ）に示すように情報が一時的に表示される時間は、３秒に限らず、３秒から１０秒ほどの範囲で適当な長さに設定するとよく、また、ユーザにより３秒から１０秒の間で選択して設定可能にしてもよい。さらに、図４（Ａ）〜（Ｅ）および図１５（Ａ）〜（Ｅ）に示すように強調表示を温度下げスイッチ５３により切り替え可能な時間も、３秒に限らず、３秒から１０秒ほどの範囲で適当な長さに設定するとよい。
【０１６９】
また、上記第５実施形態においても、ナビスイッチ４２により図２１（Ａ）〜（Ｅ）に示す表示状態に切り替え可能な時間を、３秒に限らず、３秒から１０秒ほどの範囲で適当な長さに設定してもよく、さらに、図２１（Ｆ）〜（Ｈ）に示すような一時表示の継続時間も、３０秒に限らず、１０秒〜３０秒ほどの範囲で適当な長さに設定してもよい。
【０１７０】
上記第１〜第４実施形態においては、ユーザが温度下げスイッチ５３を３秒以内に押すことにより、図４（Ａ）〜（Ｅ）および図１５（Ａ）〜（Ｅ）に示すように、強調表示が循環して切り替えられるように構成されていたが、さらに、温度上げスイッチ５４を３秒以内に押すことにより、逆向きに循環させて切り替え可能なように構成されていてもよい。また、切り替えの順序は上記実施形態と異なっていてもよい。
【０１７１】
上記第２実施形態において、各強調表示において、拡張表示される項目に組み合わせて表示される項目は、図１５（Ａ）〜（Ｅ）に示すような組み合わせに限らず、表示可能な項目の中から選択したどの項目を組み合わせてもよい。また、上記第２実施形態より少ない項目数を表示するようにしてもよい。あるいは、強調表示のパターンとして、上記第１実施形態と同様の１つの項目のみを拡大表示する表示パターンを加えてもよい。
【０１７２】
上記第３実施形態においては、シンボル５９を３秒間の間に３回点滅させたが、これより点滅させる速度を速めてもよい。また、シンボル５９を表示させず、代わりに、表示部４６に表示されている情報の全体あるいは一部を点滅させてもよい。
【０１７３】
上記第４実施形態においては、台所用操作盤４０の表示部４６に固定表示領域５６として運転モード表示領域と沸き増し中表示領域が設けられていたが、これ以外に、例えば時刻の固定表示領域を設けるなどしてもよい。但し、拡張表示のために必要な大きさのドットマトリクス領域５７が確保できる範囲内で、固定表示領域を設けるのが望ましい。
【０１７４】
また、上記第３および第４実施形態において、強調表示として、上記第１実施形態と同様に１つの項目のみを拡大表示する例を示したが、上記第２実施形態と同様に、強調表示する際に、拡大表示する項目に加えて他の項目も組み合わせて表示するようにしてもよい。
【０１７５】
上記第１〜第４実施形態では、台所用操作盤４０の表示部４６においてのみ強調表示（拡張表示）を設定可能に構成されていたが、浴室用操作盤の表示部（図示せず）にもドットマトリクス領域を設けて、ここにおいてもユーザによる設定により強調表示が可能であるように構成してもよい。
【０１７６】
上記第５実施形態では、ユーザによりカウントダウンモードが選択された場合には、湯張りの残り所要時間およびクリーニングの残り所要時間を表示可能であったが、これに加えて、エア抜き運転や排水運転の残り所要時間を表示させることが可能に構成されていてもよい。
【０１７７】
上記第５実施形態では、ユーザに対するアドバイス情報として「お勧めモード」が表示される構成であったが、ユーザに対するアドバイス情報はこれに限らず、例えば給湯温度の設定などに関するアドバイスを提供できるように構成されていてもよい。
【０１７８】
上記実施形態では、ユーザが浴室用操作盤のクリーニングスイッチを操作することによりクリーニングが開始されるように構成されていたが、制御装置２００が、定期的に、あるいはクリーニングが必要な所定の状況を検出して、クリーニングを自動で実行するように構成されていてもよい。
【０１７９】
上記実施形態では、１つの貯湯タンク３０を備えた１缶式給湯装置に本発明を適用したが、複数の貯湯タンクを備えた多缶式給湯装置に本発明を適用することもできる。また、貯湯タンク３０内の水を、ヒートポンプユニット（図示せず）ではなく、貯湯タンク３０内に設けた電気ヒータにより沸き上げる構成であってもよい。さらに、例えばガス給湯装置など、貯湯タンクを備えていない給湯装置にも本発明を適用することができる。
【図面の簡単な説明】
【図１】本発明の第１実施形態に係る給湯装置の全体構成を示す模式図である。
【図２】給湯装置の台所用操作盤の外観を示す図である。
【図３】台所用操作盤においてユーザによりナビスイッチが操作されたときの表示の切り替わりを示す図である。
【図４】台所用操作盤においてユーザにより強調表示モードの設定中に温度下げスイッチが操作されたときの表示の切り替わりを示す図である。
【図５】給湯装置の制御装置により実行される制御処理メインルーチンのフローチャートである。
【図６】図５に示すステップ３３５において実行される設定変更処理のフローチャートである。
【図７】図６に示すステップ４００において実行される時刻設定変更処理のフローチャートである。
【図８】図６に示すステップ４１０において実行される運転モード変更処理のフローチャートである。
【図９】図６に示すステップ４５０において実行される給湯温度設定変更処理のフローチャートである。
【図１０】図６に示すステップ４６０において実行される表示モード変更処理の前半部分のフローチャートである。
【図１１】図６に示すステップ４６０において実行される表示モード変更処理の後半部分のフローチャートである。
【図１２】図５に示すステップ３４０において実行される表示制御処理のフローチャートである。
【図１３】図１２に示すステップ６２０において実行される台所用操作盤表示処理のフローチャートである。
【図１４】図１３に示すステップ７６０において用いられる表示パターンフラグＰＤＮと表示パターンとの対応を示す図である。
【図１５】本発明の第２実施形態に係る給湯装置において、ユーザによる強調表示モードの設定中に台所用操作盤の温度下げスイッチが操作されたときの表示の切り替わりを示す図である。
【図１６】本発明の第３実施形態に係る給湯装置において、ユーザにより強調表示モードが設定可能であるときに台所用操作盤の表示部にシンボルが表示される様子を示す図である。
【図１７】第３実施形態において実行される台所用操作盤表示処理のフローチャートである。
【図１８】図１７に示す台所用操作盤表示処理において用いられる表示パターンフラグＰＤＮと表示パターンとの対応を示す図である。
【図１９】本発明の第４実施形態に係る給湯装置における台所用操作盤の表示部の構成、および表示部に情報が強調表示される様子を示す図である。
【図２０】第４実施形態において実行される台所用操作盤表示処理のフローチャートである。
【図２１】本発明の第５実施形態に係る給湯装置おいて、ユーザにより台所用操作盤のナビスイッチが操作されたときの表示の切り替わりを示す図である。
【図２２】第５実施形態において、クリーニング実行中にカウントダウンモードが選択された場合の表示例を示す図である。
【図２３】第５実施形態において、湯張りとクリーニングのいずれも実行されていないときにカウントダウンモードが選択された場合の表示例を示す図である。
【図２４】第５実施形態において実行される表示モード変更処理の前半部分のフローチャートである。
【図２５】第５実施形態において実行される表示モード変更処理の後半部分のフローチャートである。
【図２６】第５実施形態において実行される表示制御処理のフローチャートである。
【図２７】第５実施形態において実行される台所用操作盤表示処理のフローチャートである。
【図２８】図２７に示す台所用操作盤表示処理において用いられる表示パターンフラグＰＤＮと表示パターンとの対応を示す図である。
【図２９】従来の給湯装置の操作盤における表示部の構成および表示例を示す図である。
【符号の説明】
１  浴槽
１１  循環ポンプ  （作業実行手段、風呂給湯手段）
１２  電動弁  （作業実行手段、風呂給湯手段）
１８  三方弁  （作業実行手段、風呂給湯手段）
２２  電磁弁  （作業実行手段、風呂給湯手段）
３４  温調弁  （作業実行手段、風呂給湯手段）
３０  貯湯タンク
２３、２６  流量カウンタ  （使用状況取得手段）
４１  自動スイッチ  （作業指示手段）
４２  ナビスイッチ  （表示設定手段、設定開始手段）
４３  運転モード切替スイッチ  （給湯設定手段）
４５  時刻設定スイッチ  （給湯設定手段）
４６  台所用操作盤の表示部  （表示手段）
４７〜５１  表示部に表示される情報
５３  温度下げスイッチ  （給湯設定手段、表示設定手段、切替手段）
５４  温度上げスイッチ  （給湯設定手段）
５７  ドットマトリクス領域
２００  制御装置  （使用状況取得手段）
【図１】
2004294047.tif 000003
【図２】
2004294047.tif 000004
【図３】
2004294047.tif 000005
【図４】
2004294047.tif 000006
【図５】
2004294047.tif 000007
【図６】
2004294047.tif 000008
【図７】
2004294047.tif 000009
【図８】
2004294047.tif 000010
【図９】
2004294047.tif 000011
【図１０】
2004294047.tif 000012
【図１１】
2004294047.tif 000013
【図１２】
2004294047.tif 000014
【図１３】
2004294047.tif 000015
【図１４】
2004294047.tif 000016
【図１５】
2004294047.tif 000017
【図１６】
2004294047.tif 000018
【図１７】
2004294047.tif 000019
【図１８】
2004294047.tif 000020
【図１９】
2004294047.tif 000021
【図２０】
2004294047.tif 000022
【図２１】
2004294047.tif 000023
【図２２】
2004294047.tif 000024
【図２３】
2004294047.tif 000025
【図２４】
2004294047.tif 000026
【図２５】
2004294047.tif 000027
【図２６】
2004294047.tif 000028
【図２７】
2004294047.tif 000029
【図２８】
2004294047.tif 000030
【図２９】
2004294047.tif 000031